(57)【要約】共有スペクトルチャネルのチャネル明け渡しのためのシステム、方法、および手段が説明される。セカンダリユーザ基地局は、１または複数のセカンダリユーザ無線送受信ユニット（ＷＴＲＵ）に共有スペクトルチャネルへのアクセスを提供し得る。セカンダリユーザ基地局は、セカンダリユーザＷＴＲＵが共有スペクトルチャネルを明け渡すことの必要性を知らせる明け渡しメッセージを受信し得る。セカンダリユーザ基地局は、明け渡しメッセージに応答して、共有スペクトルチャネルのチャネル明け渡しを調整し得る。セカンダリユーザＷＴＲＵは、現行者ユーザを検出し得る。セカンダリユーザＷＴＲＵは、現行者検出測定構成を受信し得る。セカンダリユーザＷＴＲＵは、現行者ユーザが共有スペクトルチャネル上に存在するかどうかを検出し得、現行者ユーザの検出時に検出メッセージを送信し得る。セカンダリユーザＷＴＲＵは、検出メッセージに応答して、再構成メッセージを受信し得る。
2015537475.tif 000002
【特許請求の範囲】
【請求項１】
１または複数のセカンダリユーザ無線送受信ユニット（ＷＴＲＵ）に共有スペクトルチャネルへのアクセスを提供するステップと、
前記セカンダリユーザＷＴＲＵが前記共有スペクトルチャネルを明け渡すことの必要性を知らせる明け渡しメッセージを受信するステップと、
前記明け渡しメッセージに応答して、前記共有スペクトルチャネルのチャネル明け渡しを調整するステップと
を含むことを特徴とするチャネル明け渡し方法。
【請求項２】
明け渡し完了メッセージを現行者ユーザに送信するステップであって、前記明け渡し完了メッセージは、前記共有スペクトルチャネルの明け渡し完了を知らせる、ステップをさらに含むことを特徴とする請求項１に記載の方法。
【請求項３】
前記明け渡しメッセージは、現行者ユーザから受信されるシステム明け渡しメッセージを含むことを特徴とする請求項１に記載の方法。
【請求項４】
前記システム明け渡しメッセージは、Ｘ２インターフェースを介して受信されるＸ２メッセージを含むことを特徴とする請求項３に記載の方法。
【請求項５】
前記明け渡しメッセージは、前記セカンダリユーザＷＴＲＵによって使用するための代替チャネルを含むことを特徴とする請求項１に記載の方法。
【請求項６】
前記明け渡しメッセージは、事前決定されたチャネル明け渡し時間に基づいて、管理エンティティから受信されることを特徴とする請求項１に記載の方法。
【請求項７】
前記事前決定されたチャネル明け渡し時間は、現行者システムオペレータとセカンダリユーザオペレータの間の協定に基づくことを特徴とする請求項６に記載の方法。
【請求項８】
前記事前決定されたチャネル明け渡し時間は、周期的であり、前記セカンダリユーザＷＴＲＵによる前記共有スペクトルチャネルの前記使用のために許可された時間に基づくことを特徴とする請求項６に記載の方法。
【請求項９】
前記共有スペクトルチャネルは、ライセンスされた共有アクセス（ＬＳＡ）チャネルであることを特徴とする請求項１に記載の方法。
【請求項１０】
測定イベント構成を前記セカンダリユーザＷＴＲＵに送信するステップであって、前記測定イベント構成は、現行者基地局に関連付けられた公衆地上モバイルネットワーク識別子（ＰＬＭＮ  ＩＤ）、または前記ＰＬＭＮ  ＩＤに基づいて前記共有スペクトルチャネル上でＰＬＭＮ探索を実行するように求める要求のうちの少なくとも一方を含む、ステップ
をさらに含み、
前記明け渡しメッセージは、前記測定イベント構成に応答して受信され、前記共有スペクトルチャネル上における前記現行者基地局の存在を知らせるイベント通知を含む
ことを特徴とする請求項１に記載の方法。
【請求項１１】
前記明け渡しメッセージは、データベースまたは仲介者から受信されることを特徴とする請求項１に記載の方法。
【請求項１２】
データベースまたは仲介者を用いて共有スペクトルチャネルステータスをチェックして、前記共有スペクトルチャネルを明け渡すことの前記必要性を判定するステップであって、前記明け渡しメッセージは、前記共有スペクトルチャネルステータスチェックに応答して受信される、ステップをさらに含むことを特徴とする請求項１に記載の方法。
【請求項１３】
前記セカンダリユーザＷＴＲＵのチャネル明け渡しを調整する前記ステップは、
イベント通知、セカンダリユーザＷＴＲＵ測定レポート、または隣接者関係テーブル（ＮＲＴ）エントリのうちの少なくとも１つに基づいて、ターゲットセルを選択するステップと、
ハンドオーバ要求を前記ターゲットセルに送信するステップと
をさらに含むことを特徴とする請求項１に記載の方法。
【請求項１４】
前記明け渡しメッセージは、前記共有スペクトルチャネルを明け渡すことの必要性をさらに知らせることを特徴とする請求項１に記載の方法。
【請求項１５】
現行者セルを検出する方法であって、
現行者検出測定構成を受信するステップと、
前記現行者検出測定構成に基づいて、現行者ユーザが共有スペクトルチャネル上に存在するかどうかを検出するステップと、
前記現行者ユーザの検出時に検出メッセージを送信するステップであって、前記検出メッセージは、前記現行者ユーザの前記存在を知らせるイベント通知を含む、ステップと、
前記検出メッセージに応答して、明け渡しメッセージを受信するステップと
を含むことを特徴とする方法。
【請求項１６】
前記現行者検出測定構成は、前記現行者ユーザに関連付けられた現行者セル識別子（ＩＤ）を含むことを特徴とする請求項１５に記載の方法。
【請求項１７】
前記現行者セル識別子ＩＤの検出は、現行者同期チャネル（ＳＣＨ）または現行者基準信号（ＲＳ）を検出することをさらに含むことを特徴とする請求項１６に記載の方法。
【請求項１８】
前記検出メッセージは、アップリンク現行者ユーザ検出媒体アクセス制御（ＭＡＣ）制御要素（ＣＥ）を介して送信されることを特徴とする請求項１５に記載の方法。
【請求項１９】
前記検出メッセージは、アップリンク無線リソース制御（ＲＲＣ）メッセージを介して送信されることを特徴とする請求項１５に記載の方法。
【請求項２０】
前記セルＩＤは、前記現行者ユーザに関連付けられた物理セル識別子（ＰＣＩ）または前記現行者ユーザに関連付けられた公衆地上モバイルネットワーク識別子（ＰＬＭＮ  ＩＤ）のうちの少なくとも一方を含むことを特徴とする請求項１５に記載の方法。
【請求項２１】
前記検出メッセージに応答して、再構成メッセージを受信するステップであって、前記再構成メッセージは、ターゲットセルの識別情報を含む、ステップと、
前記受信された再構成メッセージに基づいて、無線リソース構成を更新するステップと、
再構成完了メッセージを前記ターゲットセルに送信するステップと
をさらに含むことを特徴とする請求項１５に記載の方法。
【請求項２２】
前記現行者ユーザの前記検出時にタイマを値で開始するステップと、
前記タイマの満了時に接続要求をターゲットセルに送信するステップと
をさらに含むことを特徴とする請求項１５に記載の方法。
【請求項２３】
前記タイマの前記値は、前記接続要求を時間的にずらすように割り当てられることを特徴とする請求項２２に記載の方法。
【請求項２４】
前記現行者ユーザの前記検出時にタイマを値で開始するステップと、
前記タイマの満了前にハンドオーバコマンドまたは解放コマンドが受信された場合に、前記タイマを停止するステップと、
前記ハンドオーバコマンドまたは前記解放コマンドに基づいて、接続を確立するように試みるステップと
をさらに含むことを特徴とする請求項１５に記載の方法。
【請求項２５】
前記明け渡しメッセージに応答して、接続解放メッセージを受信するステップであって、前記接続解放メッセージは、解放理由として前記現行者ユーザの前記存在を知らせる、ステップをさらに含むことを特徴とする請求項１５に記載の方法。
【請求項２６】
前記接続解放メッセージは、ダウンリンク媒体アクセス制御（ＭＡＣ）制御要素（ＣＥ）を介して受信されることを特徴とする請求項２５に記載の方法。
【請求項２７】
前記現行者ユーザは、現行者基地局を含むことを特徴とする請求項１５に記載の方法。
【請求項２８】
チャネル明け渡しを生じさせるように構成されたセカンダリユーザ基地局であって、
プロセッサを備え、前記プロセッサは、
１または複数のセカンダリユーザ無線送受信ユニット（ＷＴＲＵ）に共有スペクトルチャネルへのアクセスを提供することと、
前記セカンダリユーザＷＴＲＵが前記共有スペクトルチャネルを明け渡すことの必要性を知らせる明け渡しメッセージを受信することと、
前記明け渡しメッセージに応答して、前記共有スペクトルチャネルのチャネル明け渡しを調整することと
を行うように構成されることを特徴とするセカンダリユーザ基地局。
【請求項２９】
前記プロセッサは、明け渡し完了メッセージを現行者ユーザに送信することであって、前記明け渡し完了メッセージは、前記共有スペクトルチャネルの明け渡し完了を知らせる、送信することを行うようにさらに構成されることを特徴とする請求項２８に記載のセカンダリユーザ基地局。
【請求項３０】
前記明け渡しメッセージは、現行者ユーザから受信されるシステム明け渡しメッセージを含むことを特徴とする請求項２８に記載のセカンダリユーザ基地局。
【請求項３１】
前記システム明け渡しメッセージは、Ｘ２インターフェースを介して受信されるＸ２メッセージを含むことを特徴とする請求項３０に記載のセカンダリユーザ基地局。
【請求項３２】
前記明け渡しメッセージは、前記セカンダリユーザＷＴＲＵによって使用するための代替チャネルを含むことを特徴とする請求項２８に記載のセカンダリユーザ基地局。
【請求項３３】
前記明け渡しメッセージは、事前決定されたチャネル明け渡し時間に基づいて、管理エンティティから受信されることを特徴とする請求項２８に記載のセカンダリユーザ基地局。
【請求項３４】
前記事前決定されたチャネル明け渡し時間は、現行者システムオペレータとセカンダリユーザオペレータの間の協定に基づくことを特徴とする請求項３３に記載のセカンダリユーザ基地局。
【請求項３５】
前記事前決定されたチャネル明け渡し時間は、周期的であり、前記セカンダリユーザＷＴＲＵによる前記共有スペクトルチャネルの前記使用のために許可された時間に基づくことを特徴とする請求項３３に記載のセカンダリユーザ基地局。
【請求項３６】
前記共有スペクトルチャネルは、ライセンスされた共有アクセス（ＬＳＡ）チャネルであることを特徴とする請求項２８に記載のセカンダリユーザ基地局。
【請求項３７】
前記プロセッサは、
測定イベント構成を前記セカンダリユーザＷＴＲＵに送信することであって、前記測定イベント構成は、現行者基地局に関連付けられた公衆地上モバイルネットワーク識別子（ＰＬＭＮ  ＩＤ）、または前記ＰＬＭＮ  ＩＤに基づいて前記共有スペクトルチャネル上でＰＬＭＮ探索を実行するように求める要求のうちの少なくとも一方を含む、送信すること
を行うようにさらに構成され、
前記明け渡しメッセージは、前記測定イベント構成に応答して受信され、前記共有スペクトルチャネル上における前記現行者基地局の存在を知らせるイベント通知を含む
ことを特徴とする請求項２８に記載のセカンダリユーザ基地局。
【請求項３８】
前記明け渡しメッセージは、データベースまたは仲介者から受信されることを特徴とする請求項２８に記載のセカンダリユーザ基地局。
【請求項３９】
前記プロセッサは、データベースまたは仲介者を用いて共有スペクトルチャネルステータスをチェックして、前記共有スペクトルチャネルを明け渡すことの前記必要性を判定することであって、前記明け渡しメッセージは、前記共有スペクトルチャネルステータスチェックに応答して受信される、判定することを行うようにさらに構成されることを特徴とする請求項２８に記載のセカンダリユーザ基地局。
【請求項４０】
前記セカンダリユーザＷＴＲＵのチャネル明け渡しを調整するために、前記プロセッサは、
イベント通知、セカンダリユーザＷＴＲＵ測定レポート、または隣接者関係テーブル（ＮＲＴ）エントリのうちの少なくとも１つに基づいて、ターゲットセルを選択することと、
ハンドオーバ要求を前記ターゲットセルに送信することと
を行うようにさらに構成されることを特徴とする請求項２８に記載のセカンダリユーザ基地局。
【請求項４１】
前記明け渡しメッセージは、前記セカンダリユーザ基地局が前記共有スペクトルチャネルを明け渡すことの必要性をさらに知らせることを特徴とする請求項２８に記載のセカンダリユーザ基地局。
【請求項４２】
現行者セルを検出するように構成されたセカンダリユーザ無線送受信ユニット（ＷＴＲＵ）であって、
プロセッサを備え、前記プロセッサは、
現行者検出測定構成を受信することと、
前記現行者検出測定構成に基づいて、現行者ユーザが共有スペクトルチャネル上に存在するかどうかを検出することと、
前記現行者ユーザの検出時に検出メッセージを送信することであって、前記検出メッセージは、前記現行者ユーザの前記存在を知らせるイベント通知を含む、送信することと、
前記検出メッセージに応答して、明け渡しメッセージを受信することと
を行うように構成されることを特徴とするセカンダリユーザ無線送受信ユニット（ＷＴＲＵ）。
【請求項４３】
前記現行者検出測定構成は、前記現行者ユーザに関連付けられた現行者セル識別子（ＩＤ）を含むことを特徴とする請求項４２に記載のセカンダリユーザＷＴＲＵ。
【請求項４４】
前記現行者セルＩＤの検出は、現行者同期チャネル（ＳＣＨ）または現行者基準信号（ＲＳ）を検出することをさらに含むことを特徴とする請求項４３に記載のセカンダリユーザＷＴＲＵ。
【請求項４５】
前記検出メッセージは、アップリンク現行者ユーザ検出媒体アクセス制御（ＭＡＣ）制御要素（ＣＥ）を介して送信されることを特徴とする請求項４２に記載のセカンダリユーザＷＴＲＵ。
【請求項４６】
前記検出メッセージは、アップリンク無線リソース制御（ＲＲＣ）メッセージを介して送信されることを特徴とする請求項４２に記載のセカンダリユーザＷＴＲＵ。
【請求項４７】
前記セルＩＤは、前記現行者ユーザに関連付けられた物理セル識別子（ＰＣＩ）または前記現行者ユーザに関連付けられた公衆地上モバイルネットワーク識別子（ＰＬＭＮ  ＩＤ）のうちの少なくとも一方を含むことを特徴とする請求項４２に記載のセカンダリユーザＷＴＲＵ。
【請求項４８】
前記プロセッサは、
前記検出メッセージに応答して、再構成メッセージを受信することであって、前記再構成メッセージは、ターゲットセルの識別情報を含む、受信することと、
前記受信された再構成メッセージに基づいて、無線リソース構成を更新することと、
再構成完了メッセージを前記ターゲットセルに送信することと
を行うようにさらに構成されることを特徴とする請求項４２に記載のセカンダリユーザＷＴＲＵ。
【請求項４９】
前記プロセッサは、
前記現行者ユーザの前記検出時にタイマを値で開始することと、
前記タイマの満了時に接続要求をターゲットセルに送信することと
を行うようにさらに構成されることを特徴とする請求項４２に記載のセカンダリユーザＷＴＲＵ。
【請求項５０】
前記タイマの前記値は、前記接続要求を時間的にずらすように割り当てられることを特徴とする請求項４９に記載のセカンダリユーザＷＴＲＵ。
【請求項５１】
前記プロセッサは、
前記現行者ユーザの前記検出時にタイマを値で開始することと、
前記タイマの満了前にハンドオーバコマンドまたは解放コマンドが受信された場合に、前記タイマを停止することと、
前記ハンドオーバコマンドまたは前記解放コマンドに基づいて、接続を確立するように試みることと
を行うようにさらに構成されることを特徴とする請求項４２に記載のセカンダリユーザＷＴＲＵ。
【請求項５２】
前記プロセッサは、前記明け渡しメッセージに応答して、接続解放メッセージを受信することであって、前記接続解放メッセージは、解放理由として前記現行者ユーザの前記存在を知らせる、受信することを行うようにさらに構成されることを特徴とする請求項４２に記載のセカンダリユーザＷＴＲＵ。
【請求項５３】
前記接続解放メッセージは、ダウンリンク媒体アクセス制御（ＭＡＣ）制御要素（ＣＥ）を介して受信されることを特徴とする請求項５２に記載のセカンダリユーザＷＴＲＵ。
【請求項５４】
前記現行者ユーザは、現行者基地局を含むことを特徴とする請求項４２に記載のセカンダリユーザＷＴＲＵ。
【発明の詳細な説明】
【技術分野】
【０００１】
本発明は、無線通信に関する。
【背景技術】
【０００２】
（関連出願の相互参照）
本出願は、その内容が参照により本明細書に組み込まれる、２０１２年１１月１５日に出願された米国特許仮出願第６１／７２６８７１号明細書の利益を主張する。
【０００３】
無線システムは、動的共有スペクトル（ＤＳＳ）においてセカンダリ方式で動作する場合、スペクトルの使用プライオリティがより高いシステムにスペクトルの使用を許可し得る。そのようなプライオリティがより高いシステムは、テレビジョンホワイトスペース（ＴＶＷＳ）におけるプライマリユーザ（ＰＵ）、またはＬＳＡ管理体制（ＬＳＡ  ｒｅｇｉｍｅ）下のスペクトルの場合のライセンスされた共有アクセス（ＬＳＡ：ｌｉｃｅｎｓｅｄ  ｓｈａｒｅｄ  ａｃｃｅｓｓ）現行者（ｉｎｃｕｍｂｅｎｔ）を含み得る。
【０００４】
ＴＶＷＳなどのＤＳＳにおいて動作するために、（例えば、規制要件に従う）デバイスは、空きチャネルへのアクセスを獲得することによって利益を獲得し得る。限られたＴＶＷＳチャネルしか利用可能ではない、またはＴＶＷＳチャネルが利用可能ではない大都市では、センシング専用動作が、より多くのチャネルへのアクセスを獲得するための手段として必須になり得る。例えば、ビロールーフライン（ｂｅｌｏｗ  ｒｏｏｆ  ｌｉｎｅ）配備は、都市景観（ｕｒｂａｎ  ｌａｎｄｓｃａｐｅ）によってもたらされるデジタルＴＶ（ＤＴＶ）送信機からの隔離から利益を獲得し得る。さらに、屋内配備は、屋内侵入損失から利益を獲得し得る。この文脈では、センシング専用動作は、ＰＵ割り当てチャネルを小規模セルネットワークが利用することを可能にする、スペクトルセンシングに対する特定の要件に従い得る。（例えば、プライマリユーザに割り当てられた）ＰＵ割り当てチャネルは、プライマリユーザが検出された場合、セカンダリユーザ（ＳＵ）がチャネルから立ち退くことを必要とし得る。同様に、ＬＳＡ管理体制は、現行者が所有しサブライセンスするスペクトルに対する優先アクセスをＬＳＡ現行者が有することの保証ばかりでなく、ＬＳＡライセンシからの干渉に対するＬＳＡ現行者の保護も保証し得る。接続モードメカニズムは、例えば、システムがＤＳＳスペクトル上においてセカンダリ方式で動作する場合、ＰＵ検出、レポーティング、および／またはチャネル明け渡しに対するサポートを提供する必要があり得る。
【発明の概要】
【０００５】
共有スペクトルチャネルのチャネル明け渡しのためのシステム、方法、および手段が説明される。共有スペクトルにおいて、セカンダリユーザシステムは、スペクトルを使用し得る。スペクトルは、現行者システムによって利用され、および／または制御され得る。セカンダリユーザ基地局は、１または複数のセカンダリユーザ無線送受信ユニット（ＷＴＲＵ）に共有スペクトルチャネルへのアクセスを提供し得る。セカンダリユーザ基地局は、限定することなく、ライセンスされた共有アクセス（ＬＳＡ）ライセンシ基地局、ＴＶＷＳ基地局、および／または動的共有スペクトルアクセスポイントなどを含み得る。セカンダリユーザ基地局は、セカンダリユーザ基地局およびＷＴＲＵが共有スペクトルチャネルを明け渡すことの必要性を知らせる明け渡しメッセージを受信し得る。明け渡しメッセージは、セカンダリユーザＷＴＲＵによって使用するための代替チャネルを含み得る。明け渡しメッセージは、システム明け渡しメッセージを含み得る。セカンダリユーザ基地局は、明け渡しメッセージをデータベースエンティティまたは仲介者エンティティから受信し得る。セカンダリユーザ基地局は、データベースまたは仲介者を用いて共有スペクトルチャネルのステータスをチェックして、共有スペクトルチャネルを明け渡すことの必要性を判定し得る。セカンダリユーザは、共有スペクトルチャネルステータスチェックに応答して、明け渡しメッセージを受信し得る。
【０００６】
セカンダリユーザ基地局は、例えば、事前決定されたチャネル明け渡し時間に基づいて、管理エンティティから明け渡しメッセージを受信し得る。事前決定されたチャネル明け渡し時間は、現行者システムオペレータとセカンダリユーザオペレータの間の協定に基づき得る。セカンダリシステムによるチャネルの許可された使用は、周期的であり得る。明け渡し時間は、１回または複数回、繰り返し生じ得る。事前決定された明け渡し時間は、セカンダリユーザＷＴＲＵによる共有スペクトルチャネルの使用のために許可された時間に基づき得る。共有スペクトルチャネルは、ＬＳＡチャネルであり得る。
【０００７】
セカンダリユーザ基地局は、明け渡しメッセージに応答して、共有スペクトルチャネルのチャネル明け渡しを調整し得る。セカンダリユーザ基地局は、明け渡し完了メッセージを現行者ユーザ（例えば、現行者基地局）に送信し得る。現行者ユーザは、プライマリユーザ（ＰＵ）であり得る。明け渡し完了メッセージは、共有スペクトルチャネルの明け渡しが完了したことを現行者ユーザに知らせ得る。システム明け渡しメッセージは、Ｘ２インターフェースを介して受信されるＸ２メッセージを含み得る。セカンダリユーザ基地局は、例えば、イベント通知、セカンダリユーザＷＴＲＵ測定レポート、または隣接者関係テーブル（ＮＲＴ）エントリのうちの少なくとも１つに基づいて、ターゲットセルを選択し得る。セカンダリユーザ基地局は、ハンドオーバ要求をターゲットセルに送信し得る。
【０００８】
セカンダリユーザ基地局は、測定イベント構成をセカンダリユーザＷＴＲＵに送信し得る。測定イベント構成は、公衆地上モバイルネットワーク識別子（ＰＬＭＮ  ＩＤ）、またはＰＬＭＮ  ＩＤに基づいて共有スペクトルチャネル上でＰＬＭＮ探索を実行するように求める要求のうちの少なくとも一方を含み得る。探索されるＰＬＭＮ  ＩＤは、現行者ユーザに関連付けられ得る。セカンダリユーザＷＴＲＵは、例えば、測定イベントの構成に続いて、ＰＬＭＮ  ＩＤが検出された場合、セカンダリユーザ基地局へのイベント通知をトリガするように求められ得る。明け渡しメッセージは、通知に応答して、受信され得る。
【０００９】
セカンダリユーザＷＴＲＵは、（例えば、共有スペクトルチャネル上で動作する）現行者ユーザを検出し得る。セカンダリユーザＷＴＲＵは、現行者検出測定構成を受信し得る。現行者検出測定構成は、現行者ユーザに関連付けられた現行者セル識別子（ＩＤ）（例えば、１または複数の物理セル識別子（ＰＣＩ）またはＰＬＭＮ  ＩＤ）を含み得る。
【００１０】
セカンダリユーザＷＴＲＵは、例えば、現行者検出測定構成に基づいて、現行者ユーザが共有スペクトルチャネル上に存在するかどうかを検出し得る。セカンダリユーザＷＴＲＵは、現行者ユーザの検出時に検出メッセージを送信し得る。検出メッセージは、アップリンク現行者ユーザ検出媒体アクセス制御（ＭＡＣ）制御要素（ＣＥ）を介して、または無線リソース制御（ＲＲＣ）メッセージを介して送信され得る。検出メッセージは、イベント通知を含み得る。イベント通知は、現行者ユーザの存在を知らせ得る。セカンダリユーザＷＴＲＵは、検出メッセージに応答して、明け渡しメッセージをセカンダリユーザ基地局から受信し得る。
【００１１】
セカンダリユーザＷＴＲＵは、検出メッセージに応答して、再構成メッセージを受信し得る。再構成メッセージは、ターゲットセルの識別を含み得る。セカンダリユーザＷＴＲＵは、受信された再構成メッセージに基づいて、無線リソース構成を更新し得る。セカンダリユーザＷＴＲＵは、再構成完了メッセージをターゲットセルに送信し得る。
【００１２】
セカンダリユーザＷＴＲＵは、現行者ユーザの検出時に、タイマを値で開始し得る。タイマの値は、接続要求を時間的にずらすような方法で割り当てられ得る。セカンダリユーザＷＴＲＵは、タイマの満了時に、接続要求をターゲットセルに送信し得る。
【００１３】
セカンダリユーザＷＴＲＵは、現行者ユーザの検出時に、タイマを値で開始し得る。セカンダリユーザＷＴＲＵは、タイマの満了前に、例えば、ハンドオーバコマンドまたは解放コマンドが受信された場合に、タイマを停止し得る。セカンダリユーザＷＴＲＵは、ハンドオーバコマンドまたは解放コマンドに基づいて、接続を確立しようと試み得る。異なるタイマ値が、セカンダリユーザＷＴＲＵの再確立の試みを時間的にずらすために使用され得る。
【００１４】
セカンダリユーザＷＴＲＵは、明け渡しメッセージに応答して、（例えば、ダウンリンクＭＡＣ  ＣＥを介して）接続解放メッセージを受信し得る。接続解放メッセージは、解放理由として現行者ユーザの存在を知らせ得る。
【図面の簡単な説明】
【００１５】
【図１Ａ】１または複数の開示される実施形態が実施され得る例示的な通信システムのシステム図である。
【図１Ｂ】図１Ａに示される通信システム内で使用され得る例示的な無線送受信ユニット（ＷＴＲＵ）のシステム図である。
【図１Ｃ】図１Ａに示される通信システム内で使用され得る例示的な無線アクセスネットワークおよび例示的なコアネットワークのシステム図である。
【図１Ｄ】図１Ａに示される通信システム内で使用され得る別の例示的な無線アクセスネットワークおよび別の例示的なコアネットワークのシステム図である。
【図１Ｅ】図１Ａに示される通信システム内で使用され得る別の例示的な無線アクセスネットワークおよび別の例示的なコアネットワークのシステム図である。
【図１Ｆ】進化型ユニバーサル地上無線アクセスネットワーク（Ｅ−ＵＴＲＡＮ）アーキテクチャの例を示す図である。
【図１Ｇ】システム情報獲得の例を示す図である。
【図１Ｈ】イントラモバイル管理エンティティ（ＭＭＥ）および／またはサービングゲートウェイ（Ｓ−ＧＷ）ハンドオーバ（ＨＯ）の例を示す図である。
【図１Ｉ】成功した無線リソース制御（ＲＲＣ）接続再確立の例を示す図である。
【図１Ｊ】ＲＲＣ接続再確立の拒否の例を示す図である。
【図１Ｋ】ＲＲＣ接続解放の例を示す図である。
【図１Ｌ】自動隣接者関係（ＡＮＲ）ブロック図の例を示す図である。
【図１Ｍ】自動隣接者関係（ＡＮＲ）機能の利用の例を示す図である。
【図１Ｎ】ＴＶ帯域スペクトル利用の例を示す図である。
【図２】知られた時間瞬間における明け渡しのために使用され得るアーキテクチャの例を示す図である。
【図３】例えば、ライセンスされた共有アクセス（ＬＳＡ）現行者によって伝達されるシステム明け渡しの例を示す図である。
【図４】例えば、同期チャネル（ＳＣＨ）／基準信号（ＲＳ）送信を使用するシステム明け渡しの例を示す図である。
【図５】例えば、変更されたランダムアクセスチャネル（ＲＡＣＨ）手順を使用するシステム明け渡しの例を示す図である。
【図６】例えば、能動的なデータベースまたは仲介者によってトリガされるシステム明け渡しの例を示す図である。
【図７】例えば、受動的なデータベースまたは仲介者によってトリガされるシステム明け渡しの例を示す図である。
【図８】周波数情報情報要素（ＩＥ）の例を示す図である。
【図９】アップリンクプライマリユーザ（ＵＬ  ＰＵ）検出媒体アクセス制御（ＭＡＣ）制御要素（ＣＥ）の例を示す図である。
【図１０】変更されたシステム情報ブロック（ＳＩＢ）、例えば、ＳＩＢ２の例を示す図である。
【図１１】ＲＡＣＨベースのＰＵ検出の例を示す図である。
【図１２】ハンドオーバ（ＨＯ）を介するＷＴＲＵチャネル明け渡しの例を示す図である。
【図１３】ＨＯ失敗に続くＲＲＣ接続再確立を介するＷＴＲＵチャネル明け渡しの例を示す図である。
【図１４】ＲＲＣ接続解放を介するＷＴＲＵチャネル明け渡しの例を示す図である。
【図１５】解放理由を示す情報要素の例を示す図である。
【図１６】共有スペクトルチャネル明け渡しの例を示す図である。
【図１７】現行者ユーザの存在を検出し、現行者ユーザの存在を報告し、明け渡しメッセージを受信する例を示す図である。
【発明を実施するための形態】
【００１６】
今から、例示的な実施形態の詳細な説明が、様々な図を参照して行われる。この説明は可能な実施の詳細な例を提供するが、細部は例示的であることが意図されており、決して本出願の範囲を限定するものではないことに留意されたい。加えて、図はフローチャートを示すが、それは例示的であることが意図されている。他の実施形態が使用され得る。メッセージの順序は、適宜、変更され得る。メッセージは必要とされない場合は省かれ得、追加のフローが追加され得る。
【００１７】
図１Ａは、１または複数の開示される実施形態が実施され得る例示的な通信システム１００の図である。通信システム１００は、音声、データ、ビデオ、メッセージング、放送などのコンテンツを複数の無線ユーザに提供する、多元接続システムとし得る。通信システム１００は、複数の無線ユーザが、無線帯域幅を含むシステムリソースの共用を通して、そのようなコンテンツにアクセスすることを可能にし得る。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１または複数のチャネルアクセス方法を利用し得る。
【００１８】
図１Ａに示されるように、通信システム１００は、（一般にまたは一括してＷＴＲＵ１０２と呼ばれることがある）無線送受信ユニット（ＷＴＲＵ）１０２ａ、１０２ｂ、１０２ｃ、および／または１０２ｄ、無線アクセスネットワーク（ＲＡＮ）１０３／１０４／１０５、コアネットワーク１０６／１０７／１０９、公衆交換電話網（ＰＳＴＮ）１０８、インターネット１１０、ならびに他のネットワーク１１２を含み得るが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスとし得る。例を挙げると、ＷＴＲＵ１０２ａ、１０２ｂ、１０２ｃ、１０２ｄは、無線信号を送信および／または受信するように構成され得、ユーザ機器（ＵＥ）、移動局、固定もしくは移動加入者ユニット、ページャ、セルラ電話、携帯情報端末（ＰＤＡ）、スマートフォン、ラップトップ、ネットブック、パーソナルコンピュータ、無線センサ、および家電製品などを含み得る。
【００１９】
通信システム１００は、基地局１１４ａおよび基地局１１４ｂも含み得る。基地局１１４ａ、１１４ｂの各々は、コアネットワーク１０６／１０７／１０９、インターネット１１０、および／またはネットワーク１１２などの１または複数の通信ネットワークへのアクセスを容易にするために、ＷＴＲＵ１０２ａ、１０２ｂ、１０２ｃ、１０２ｄの少なくとも１つと無線でインターフェースを取るように構成された、任意のタイプのデバイスとし得る。例を挙げると、基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）、および無線ルータなどとし得る。基地局１１４ａ、１１４ｂは各々、単一の要素として示されているが、基地局１１４ａ、１１４ｂは、任意の数の相互接続された基地局および／またはネットワーク要素を含み得ることが理解されよう。
【００２０】
基地局１１４ａは、ＲＡＮ１０３／１０４／１０５の部分とし得、ＲＡＮ１０３／１０４／１０５は、他の基地局、および／または基地局コントローラ（ＢＳＣ）、無線ネットワークコントローラ（ＲＮＣ）、中継ノードなどのネットワーク要素（図示されず）も含み得る。基地局１１４ａおよび／または基地局１１４ｂは、セル（図示されず）と呼ばれることがある特定の地理的領域内で、無線信号を送信および／または受信するように構成され得る。セルは、さらにセルセクタに分割され得る。例えば、基地局１１４ａに関連付けられたセルは、３つのセクタに分割され得る。したがって、一実施形態では、基地局１１４ａは、送受信機を３つ、すなわち、セルのセクタ毎に１つずつ含み得る。別の実施形態では、基地局１１４ａは、多入力多出力（ＭＩＭＯ）技術を利用し得、したがって、セルのセクタ毎に複数の送受信機を利用し得る。
【００２１】
基地局１１４ａ、１１４ｂは、エアインターフェース１１５／１１６／１１７上で、ＷＴＲＵ１０２ａ、１０２ｂ、１０２ｃ、１０２ｄの１または複数と通信し得、エアインターフェース１１５／１１６／１１７は、任意の適切な無線通信リンク（例えば、無線周波（ＲＦ）、マイクロ波、赤外線（ＩＲ）、紫外線（ＵＶ）、可視光など）とし得る。エアインターフェース１１５／１１６／１１７は、任意の適切な無線アクセス技術（ＲＡＴ）を使用して確立され得る。
【００２２】
より具体的には、上で言及されたように、通信システム１００は、多元接続システムとし得、ＣＤＭＡ、ＴＤＭＡ、ＦＤＭＡ、ＯＦＤＭＡ、およびＳＣ−ＦＤＭＡなどの、１または複数のチャネルアクセス方式を利用し得る。例えば、ＲＡＮ１０３／１０４／１０５内の基地局１１４ａ、およびＷＴＲＵ１０２ａ、１０２ｂ、１０２ｃは、広帯域ＣＤＭＡ（ＷＣＤＭＡ（登録商標））を使用してエアインターフェース１１５／１１６／１１７を確立し得る、ユニバーサル移動体通信システム（ＵＭＴＳ）地上無線アクセス（ＵＴＲＡ）などの無線技術を実施し得る。ＷＣＤＭＡは、高速パケットアクセス（ＨＳＰＡ）および／または進化型ＨＳＰＡ（ＨＳＰＡ＋）などの通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００２３】
別の実施形態では、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１５／１１６／１１７を確立し得る、進化型ＵＭＴＳ地上無線アクセス（Ｅ−ＵＴＲＡ）などの無線技術を実施し得る。
【００２４】
他の実施形態では、基地局１１４ａ、およびＷＴＲＵ１０２ａ、１０２ｂ、１０２ｃは、ＩＥＥＥ８０２．１６（すなわち、マイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭエボリューション用の高速データレート（ＥＤＧＥ）、およびＧＳＭ  ＥＤＧＥ（ＧＥＲＡＮ）などの無線技術を実施し得る。
【００２５】
図１Ａの基地局１１４ｂは、例えば、無線ルータ、ホームノードＢ、ホームｅノードＢ、またはアクセスポイントとし得、職場、家庭、乗物、およびキャンパスなどの局所的エリアにおける無線接続性を容易にするために、任意の適切なＲＡＴを利用し得る。一実施形態では、基地局１１４ｂ、およびＷＴＲＵ１０２ｃ、１０２ｄは、ＩＥＥＥ８０２．１１などの無線技術を実施して、無線ローカルエリアネットワーク（ＷＬＡＮ）を確立し得る。別の実施形態では、基地局１１４ｂ、およびＷＴＲＵ１０２ｃ、１０２ｄは、ＩＥＥＥ８０２．１５などの無線技術を実施して、無線パーソナルエリアネットワーク（ＷＰＡＮ）を確立し得る。また別の実施形態では、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立し得る。図１Ａに示されるように、基地局１１４ｂは、インターネット１１０への直接的な接続を有することがある。したがって、基地局１１４ｂは、コアネットワーク１０６／１０７／１０９を介して、インターネット１１０にアクセスする必要がないことがある。
【００２６】
ＲＡＮ１０３／１０４／１０５は、コアネットワーク１０６／１０７／１０９と通信し得、コアネットワーク１０６／１０７／１０９は、音声、データ、アプリケーション、および／またはボイスオーバインターネットプロトコル（ＶｏＩＰ）サービスをＷＴＲＵ１０２ａ、１０２ｂ、１０２ｃ、１０２ｄの１または複数に提供するように構成された、任意のタイプのネットワークとし得る。例えば、コアネットワーク１０６／１０７／１０９は、呼制御、請求サービス、モバイルロケーションベースのサービス、プリペイド通話、インターネット接続性、ビデオ配信などを提供し得、および／またはユーザ認証など、高レベルのセキュリティ機能を実行し得る。図１Ａには示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを利用する他のＲＡＮと直接的または間接的に通信し得ることが理解されよう。例えば、Ｅ−ＵＴＲＡ無線技術を利用し得るＲＡＮ１０３／１０４／１０５に接続するのに加えて、コアネットワーク１０６／１０７／１０９は、ＧＳＭ無線技術を利用する別のＲＡＮ（図示されず）とも通信し得る。
【００２７】
コアネットワーク１０６／１０７／１０９は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしての役割も果たし得る。ＰＳＴＮ１０８は、基本電話サービス（ＰＯＴＳ）を提供する回線交換電話網を含み得る。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークとデバイスとからなるグローバルシステムを含み得る。ネットワーク１１２は、他のサービスプロバイダによって所有および／または運営される有線または無線通信ネットワークを含み得る。例えば、ネットワーク１１２は、ＲＡＮ１０３／１０４／１０５と同じＲＡＴまたは異なるＲＡＴを利用し得る１または複数のＲＡＮに接続された、別のコアネットワークを含み得る。
【００２８】
通信システム１００内のＷＴＲＵ１０２ａ、１０２ｂ、１０２ｃ、１０２ｄのいくつかまたはすべては、マルチモード機能を含み得、すなわち、ＷＴＲＵ１０２ａ、１０２ｂ、１０２ｃ、１０２ｄは、異なる無線リンク上で異なる無線ネットワークと通信するための複数の送受信機を含み得る。例えば、図１Ａに示されたＷＴＲＵ１０２ｃは、セルラベースの無線技術を利用し得る基地局１１４ａと通信するように、またＩＥＥＥ８０２無線技術を利用し得る基地局１１４ｂと通信するように構成され得る。
【００２９】
図１Ｂは、例示的なＷＴＲＵ１０２のシステム図である。図１Ｂに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、着脱不能メモリ１３０と、着脱可能メモリ１３２と、電源１３４と、全地球測位システム（ＧＰＳ）チップセット１３６と、他の周辺機器１３８とを含み得る。ＷＴＲＵ１０２は、実施形態との整合性を保ちながら、上記の要素の任意のサブコンビネーションを含み得ることが理解されよう。また、実施形態は、基地局１１４ａ、１１４ｂ、ならびに／またはとりわけ、送受信機局（ＢＴＳ）、ノードＢ、サイトコントローラ、アクセスポイント（ＡＰ）、ホームノードＢ、進化型ホームノードＢ（ｅＮｏｄｅＢ）、ホーム進化型ノードＢ（ＨｅＮＢ）、ホーム進化型ノードＢゲートウェイ、およびプロキシノードなどの、しかし、それらに限定されない、基地局１１４ａ、１１４ｂが表し得るノードが、図１Ｂに示され、本明細書で説明される要素のいくつかまたはすべてを含み得ることを企図している。
【００３０】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１または複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとし得る。プロセッサ１１８は、信号符号化、データ処理、電力制御、入出力処理、および／またはＷＴＲＵ１０２が無線環境で動作することを可能にする他の任意の機能を実行し得る。プロセッサ１１８は、送受信機１２０に結合され得、送受信機１２０は、送信／受信要素１２２に結合され得る。図１Ｂは、プロセッサ１１８と送受信機１２０を別々の構成要素として示しているが、プロセッサ１１８と送受信機１２０は、電子パッケージまたはチップ内に一緒に統合され得ることが理解されよう。
【００３１】
送信／受信要素１２２は、エアインターフェース１１５／１１６／１１７上で、基地局（例えば、基地局１１４ａ）に信号を送信し、または基地局から信号を受信するように構成され得る。例えば、一実施形態では、送信／受信要素１２２は、ＲＦ信号を送信および／または受信するように構成されたアンテナとし得る。別の実施形態では、送信／受信要素１２２は、例えば、ＩＲ、ＵＶ、または可視光信号を送信および／または受信するように構成された放射器／検出器とし得る。また別の実施形態では、送信／受信要素１２２は、ＲＦ信号と光信号の両方を送信および受信するように構成され得る。送信／受信要素１２２は、無線信号の任意の組み合わせを送信および／または受信するように構成され得ることが理解されよう。
【００３２】
加えて、図１Ｂでは、送信／受信要素１２２は単一の要素として示されているが、ＷＴＲＵ１０２は、任意の数の送信／受信要素１２２を含み得る。より具体的には、ＷＴＲＵ１０２は、ＭＩＭＯ技術を利用し得る。したがって、一実施形態では、ＷＴＲＵ１０２は、エアインターフェース１１５／１１６／１１７上で無線信号を送信および受信するための２つ以上の送信／受信要素１２２（例えば、複数のアンテナ）を含み得る。
【００３３】
送受信機１２０は、送信／受信要素１２２によって送信される信号を変調し、送信／受信要素１２２によって受信された信号を復調するように構成され得る。上で言及されたように、ＷＴＲＵ１０２は、マルチモード機能を有し得る。したがって、送受信機１２０は、ＷＴＲＵ１０２が、例えば、ＵＴＲＡおよびＩＥＥＥ８０２．１１などの複数のＲＡＴを介して通信することを可能にするための、複数の送受信機を含み得る。
【００３４】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合され得、それらからユーザ入力データを受信し得る。プロセッサ１１８は、スピーカ／マイクロフォン１２４、キーパッド１２６、および／またはディスプレイ／タッチパッド１２８にユーザデータを出力もし得る。加えて、プロセッサ１１８は、着脱不能メモリ１３０および／または着脱可能メモリ１３２など、任意のタイプの適切なメモリから情報を入手し得、それらにデータを記憶し得る。着脱不能メモリ１３０は、ランダムアクセスメモリ（ＲＡＭ）、リードオンリメモリ（ＲＯＭ）、ハードディスク、または他の任意のタイプのメモリ記憶デバイスを含み得る。着脱可能メモリ１３２は、加入者識別モジュール（ＳＩＭ）カード、メモリスティック、およびセキュアデジタル（ＳＤ）メモリカードなどを含み得る。他の実施形態では、プロセッサ１１８は、ＷＴＲＵ１０２上に物理的に配置されたメモリではなく、サーバまたはホームコンピュータ（図示されず）などの上に配置されたメモリから情報を入手し得、それらにデータを記憶し得る。
【００３５】
プロセッサ１１８は、電源１３４から電力を受け取り得、ＷＴＲＵ１０２内の他の構成要素への電力の分配および／または制御を行うように構成され得る。電源１３４は、ＷＴＲＵ１０２に給電するための任意の適切なデバイスとし得る。例えば、電源１３４は、１または複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含み得る。
【００３６】
プロセッサ１１８は、ＧＰＳチップセット１３６にも結合され得、ＧＰＳチップセット１３６は、ＷＴＲＵ１０２の現在位置に関する位置情報（例えば、経度および緯度）を提供するように構成され得る。ＧＰＳチップセット１３６からの情報に加えて、またはその代わりに、ＷＴＲＵ１０２は、基地局（例えば、基地局１１４ａ、１１４ｂ）からエアインターフェース１１５／１１６／１１７上で位置情報を受信し得、および／または２つ以上の近くの基地局から受信した信号のタイミングに基づいて、自らの位置を決定し得る。ＷＴＲＵ１０２は、一実施形態との整合性を保ちながら、任意の適切な位置決定方法を用いて、位置情報を獲得し得ることが理解されよう。
【００３７】
プロセッサ１１８は、他の周辺機器１３８にさらに結合され得、他の周辺機器１３８は、追加的な特徴、機能、および／または有線もしくは無線接続性を提供する、１または複数のソフトウェアモジュールおよび／またはハードウェアモジュールを含み得る。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含み得る。
【００３８】
図１Ｃは、一実施形態による、ＲＡＮ１０３およびコアネットワーク１０６のシステム図である。上で言及されたように、ＲＡＮ１０３は、ＵＴＲＡ無線技術を利用して、エアインターフェース１１５上でＷＴＲＵ１０２ａ、１０２ｂ、１０２ｃと通信し得る。ＲＡＮ１０３は、コアネットワーク１０６とも通信し得る。図１Ｃに示されるように、ＲＡＮ１０３は、ノードＢ１４０ａ、１４０ｂ、１４０ｃを含み得、ノードＢ１４０ａ、１４０ｂ、１４０ｃは各々、エアインターフェース１１５上でＷＴＲＵ１０２ａ、１０２ｂ、１０２ｃと通信するための１または複数の送受信機を含み得る。ノードＢ１４０ａ、１４０ｂ、１４０ｃは各々、ＲＡＮ１０３内の特定のセル（図示されず）に関連付けられ得る。ＲＡＮ１０３は、ＲＮＣ１４２ａ、１４２ｂも含み得る。ＲＡＮ１０３は、実施形態との整合性を保ちながら、任意の数のノードＢおよびＲＮＣを含み得ることが理解されよう。
【００３９】
図１Ｃに示されるように、ノードＢ１４０ａ、１４０ｂは、ＲＮＣ１４２ａと通信し得る。加えて、ノードＢ１４０ｃは、ＲＮＣ１４２ｂと通信し得る。ノードＢ１４０ａ、１４０ｂ、１４０ｃは、Ｉｕｂインターフェースを介して、それぞれのＲＮＣ１４２ａ、１４２ｂと通信し得る。ＲＮＣ１４２ａ、１４２ｂは、Ｉｕｒインターフェースを介して、互いに通信し得る。ＲＮＣ１４２ａ、１４２ｂの各々は、それが接続されたそれぞれのノードＢ１４０ａ、１４０ｂ、１４０ｃを制御するように構成され得る。加えて、ＲＮＣ１４２ａ、１４２ｂの各々は、アウタループ電力制御、負荷制御、アドミッションコントロール、パケットスケジューリング、ハンドオーバ制御、マクロダイバーシティ、セキュリティ機能、およびデータ暗号化など、他の機能を実施またはサポートするように構成され得る。
【００４０】
図１Ｃに示されるコアネットワーク１０６は、メディアゲートウェイ（ＭＧＷ）１４４、モバイル交換センタ（ＭＳＣ）１４６、サービングＧＰＲＳサポートノード（ＳＧＳＮ）１４８、および／またはゲートウェイＧＰＲＳサポートノード（ＧＧＳＮ）１５０を含み得る。上記の要素の各々は、コアネットワーク１０６の部分として示されているが、これらの要素は、どの１つをとっても、コアネットワークオペレータとは異なるエンティティによって所有および／または運営され得ることが理解されよう。
【００４１】
ＲＡＮ１０３内のＲＮＣ１４２ａは、ＩｕＣＳインターフェースを介して、コアネットワーク１０６内のＭＳＣ１４６に接続され得る。ＭＳＣ１４６は、ＭＧＷ１４４に接続され得る。ＭＳＣ１４６とＭＧＷ１４４は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を容易にし得る。
【００４２】
ＲＡＮ１０３内のＲＮＣ１４２ａは、ＩｕＰＳインターフェースを介して、コアネットワーク１０６内のＳＧＳＮ１４８にも接続され得る。ＳＧＳＮ１４８は、ＧＧＳＮ１５０に接続され得る。ＳＧＳＮ１４８とＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を容易にし得る。
【００４３】
上で言及されたように、コアネットワーク１０６は、ネットワーク１１２にも接続され得、ネットワーク１１２は、他のサービスプロバイダによって所有および／または運営される他の有線または無線ネットワークを含み得る。
【００４４】
図１Ｄは、実施形態による、ＲＡＮ１０４およびコアネットワーク１０７のシステム図である。上で言及されたように、ＲＡＮ１０４は、エアインターフェース１１６上でＷＴＲＵ１０２ａ、１０２ｂ、１０２ｃと通信するために、Ｅ−ＵＴＲＡ無線技術を利用し得る。ＲＡＮ１０４は、コアネットワーク１０７とも通信し得る。
【００４５】
ＲＡＮ１０４は、ｅノードＢ１６０ａ、１６０ｂ、１６０ｃを含み得るが、ＲＡＮ１０４は、実施形態との整合性を保ちながら、任意の数のｅノードＢを含み得ることが理解されよう。ｅノードＢ１６０ａ、１６０ｂ、１６０ｃは、各々が、エアインターフェース１１６上でＷＴＲＵ１０２ａ、１０２ｂ、１０２ｃと通信するための１または複数の送受信機を含み得る。一実施形態では、ｅノードＢ１６０ａ、１６０ｂ、１６０ｃは、ＭＩＭＯ技術を実施し得る。したがって、ｅノードＢ１６０ａは、例えば、複数のアンテナを使用して、ＷＴＲＵ１０２ａに無線信号を送信し、ＷＴＲＵ１０２ａから無線信号を受信し得る。
【００４６】
ｅノードＢ１６０ａ、１６０ｂ、１６０ｃの各々は、特定のセル（図示されず）に関連付けられ得、無線リソース管理決定、ハンドオーバ決定、ならびにアップリンクおよび／またはダウンリンクにおけるユーザのスケジューリングなどを処理するように構成され得る。図１Ｄに示されるように、ｅノードＢ１６０ａ、１６０ｂ、１６０ｃは、Ｘ２インターフェース上で互いに通信し得る。
【００４７】
図１Ｄに示されるコアネットワーク１０７は、モビリティ管理ゲートウェイ（ＭＭＥ）１６２、サービングゲートウェイ１６４、およびパケットデータネットワーク（ＰＤＮ）ゲートウェイ１６６を含み得る。上記の要素の各々は、コアネットワーク１０７の部分として示されているが、これらの要素は、どの１つをとっても、コアネットワークオペレータとは異なるエンティティによって所有および／または運営され得ることが理解されよう。
【００４８】
ＭＭＥ１６２は、Ｓ１インターフェースを介して、ＲＡＮ１０４内のｅノードＢ１６０ａ、１６０ｂ、１６０ｃの各々に接続され得、制御ノードとしての役割を果たし得る。例えば、ＭＭＥ１６２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期接続中における特定のサービングゲートウェイの選択などを担い得る。ＭＭＥ１６２は、ＲＡＮ１０４とＧＳＭまたはＷＣＤＭＡなどの他の無線技術を利用する他のＲＡＮ（図示されず）との間の切替のためのコントロールプレーン機能も提供し得る。
【００４９】
サービングゲートウェイ１６４は、Ｓ１インターフェースを介して、ＲＡＮ１０４内のｅノードＢ１６０ａ、１６０ｂ、１６０ｃの各々に接続され得る。サービングゲートウェイ１６４は、一般に、ユーザデータパケットのＷＴＲＵ１０２ａ、１０２ｂ、１０２ｃへの／からの経路選択および転送を行い得る。サービングゲートウェイ１６４は、ｅノードＢ間ハンドオーバ中におけるユーザプレーンのアンカリング、ダウンリンクデータがＷＴＲＵ１０２ａ、１０２ｂ、１０２ｃに利用可能な場合に行う一斉呼出のトリガ、ならびにＷＴＲＵ１０２ａ、１０２ｂ、１０２ｃのコンテキストの管理および記憶など、他の機能も実行し得る。
【００５０】
サービングゲートウェイ１６４は、ＰＤＮゲートウェイ１６６にも接続され得、ＰＤＮゲートウェイ１６６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を容易にし得る。
【００５１】
コアネットワーク１０７は、他のネットワークとの通信を容易にし得る。例えば、コアネットワーク１０７は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を容易にし得る。例えば、コアネットワーク１０７は、コアネットワーク１０７とＰＳＴＮ１０８の間のインターフェースとしての役割を果たすＩＰゲートウェイ（例えば、ＩＰマルチメディアサブシステム（ＩＭＳ）サーバ）を含み得、またはＩＰゲートウェイと通信し得る。加えて、コアネットワーク１０７は、ネットワーク１１２へのアクセスをＷＴＲＵ１０２ａ、１０２ｂ、１０２ｃに提供し得、ネットワーク１１２は、他のサービスプロバイダによって所有および／または運営される他の有線または無線ネットワークを含み得る。
【００５２】
図１Ｅは、実施形態による、ＲＡＮ１０５およびコアネットワーク１０９のシステム図である。ＲＡＮ１０５は、ＩＥＥＥ８０２．１６無線技術を利用して、エアインターフェース１１７上でＷＴＲＵ１０２ａ、１０２ｂ、１０２ｃと通信する、アクセスサービスネットワーク（ＡＳＮ）とし得る。以下でさらに説明されるように、ＷＴＲＵ１０２ａ、１０２ｂ、１０２ｃ、ＲＡＮ１０５、およびコアネットワーク１０９の異なる機能エンティティ間の通信リンクは、参照点として定義され得る。
【００５３】
図１Ｅに示されるように、ＲＡＮ１０５は、基地局１８０ａ、１８０ｂ、１８０ｃと、ＡＳＮゲートウェイ１８２とを含み得るが、ＲＡＮ１０５は、実施形態との整合性を保ちながら、任意の数の基地局とＡＳＮゲートウェイとを含み得ることが理解されよう。基地局１８０ａ、１８０ｂ、１８０ｃは、各々が、ＲＡＮ１０５内の特定のセル（図示されず）に関連付けられ得、各々が、エアインターフェース１１７上でＷＴＲＵ１０２ａ、１０２ｂ、１０２ｃと通信するための１または複数の送受信機を含み得る。一実施形態では、基地局１８０ａ、１８０ｂ、１８０ｃは、ＭＩＭＯ技術を実施し得る。したがって、基地局１８０ａは、例えば、複数のアンテナを使用して、ＷＴＲＵ１０２ａに無線信号を送信し、ＷＴＲＵ１０２ａから無線信号を受信し得る。基地局１８０ａ、１８０ｂ、１８０ｃは、ハンドオフトリガリング、トンネル確立、無線リソース管理、トラフィック分類、およびサービス品質（ＱｏＳ）方針実施などの、モビリティ管理機能も提供し得る。ＡＳＮゲートウェイ１８２は、トラフィック集約ポイントとしての役割を果たし得、ページング、加入者プロファイルのキャッシング、およびコアネットワーク１０９へのルーティングなどを担い得る。
【００５４】
ＷＴＲＵ１０２ａ、１０２ｂ、１０２ｃとＲＡＮ１０５の間のエアインターフェース１１７は、ＩＥＥＥ８０２．１６仕様を実施する、Ｒ１参照点として定義され得る。加えて、ＷＴＲＵ１０２ａ、１０２ｂ、１０２ｃの各々は、コアネットワーク１０９との論理インターフェース（図示されず）を確立し得る。ＷＴＲＵ１０２ａ、１０２ｂ、１０２ｃとコアネットワーク１０９の間の論理インターフェースは、Ｒ２参照点として定義され得、Ｒ２参照点は、認証、認可、ＩＰホスト構成管理、および／またはモビリティ管理のために使用され得る。
【００５５】
基地局１８０ａ、１８０ｂ、１８０ｃの各々の間の通信リンクは、ＷＴＲＵハンドオーバおよび基地局間でのデータの転送を容易にするためのプロトコルを含む、Ｒ８参照点として定義され得る。基地局１８０ａ、１８０ｂ、１８０ｃとＡＳＮゲートウェイ１８２の間の通信リンクは、Ｒ６参照点として定義され得る。Ｒ６参照点は、ＷＴＲＵ１０２ａ、１０２ｂ、１０２ｃの各々に関連するモビリティイベントに基づいたモビリティ管理を容易にするためのプロトコルを含み得る。
【００５６】
図１Ｅに示されるように、ＲＡＮ１０５は、コアネットワーク１０９に接続され得る。ＲＡＮ１０５とコアネットワーク１０９の間の通信リンクは、例えば、データ転送およびモビリティ管理機能を容易にするためのプロトコルを含む、Ｒ３参照点として定義され得る。コアネットワーク１０９は、モバイルＩＰホームエージェント（ＭＩＰ−ＨＡ）１８４と、認証認可課金（ＡＡＡ）サーバ１８６と、ゲートウェイ１８８とを含み得る。上記の要素の各々は、コアネットワーク１０９の部分として示されているが、これらの要素は、どの１つをとっても、コアネットワークオペレータとは異なるエンティティによって所有および／または運営され得ることが理解されよう。
【００５７】
ＭＩＰ−ＨＡは、ＩＰアドレス管理を担い得、ＷＴＲＵ１０２ａ、１０２ｂ、１０２ｃが、異なるＡＳＮの間で、および／または異なるコアネットワークの間でローミングを行うことを可能にし得る。ＭＩＰ−ＨＡ１８４は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を容易にし得る。ＡＡＡサーバ１８６は、ユーザ認証、およびユーザサービスのサポートを担い得る。ゲートウェイ１８８は、他のネットワークとの網間接続を容易にし得る。例えば、ゲートウェイ１８８は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を容易にし得る。加えて、ゲートウェイ１８８は、ネットワーク１１２へのアクセスをＷＴＲＵ１０２ａ、１０２ｂ、１０２ｃに提供し、ネットワーク１１２は、他のサービスプロバイダによって所有および／または運営される他の有線または無線ネットワークを含み得る。
【００５８】
図１Ｅには示されていないが、ＲＡＮ１０５は、他のＡＳＮに接続され得、コアネットワーク１０９は、他のコアネットワークに接続され得ることが理解されよう。ＲＡＮ１０５および他のＡＳＮ間の通信リンクは、Ｒ４参照点として定義され得、Ｒ４参照点は、ＲＡＮ１０５と他のＡＳＮの間で、ＷＴＲＵ１０２ａ、１０２ｂ、１０２ｃのモビリティを調整するためのプロトコルを含み得る。コアネットワーク１０９と他のコアネットワークの間の通信リンクは、Ｒ５参照点として定義され得、Ｒ５参照点は、ホームコアネットワークと在圏コアネットワークの間の網間接続を容易にするためのプロトコルを含み得る。
【００５９】
進化型ユニバーサル地上無線アクセスネットワーク（Ｅ−ＵＴＲＡＮ）は、進化型ユニバーサル地上無線アクセス（Ｅ−ＵＴＲＡ）ユーザプレーン（例えば、パケットデータ収束プロトコル（ＰＤＣＰ）レイヤ、無線リンク制御（ＲＬＣ）レイヤ、媒体アクセス制御（ＭＡＣ）レイヤ、物理（ＰＨＹ）レイヤ）プロトコル終端、およびコントロールプレーン（例えば、無線リソース制御（ＲＲＣ）レイヤ）プロトコル終端をＷＴＲＵに提供する、ｅＮＢを含み得る。ｅＮＢは、Ｘ２インターフェースによって互いに相互接続され得る。ｅＮＢは、Ｓ１インターフェースによって進化型パケットコア（ＥＰＣ）に、Ｓ１−ＭＭＥインターフェースによってモビリティ管理エンティティ（ＭＭＥ）に、またはＳ１−Ｕインターフェースによってサービングゲートウェイ（Ｓ−ＧＷ）に接続され得る。Ｓ１インターフェースは、ＭＭＥおよび／またはＳ−ＧＷとｅＮＢとの間で、多対多関係をサポートし得る。
【００６０】
図１Ｆは、例示的なＥ−ＵＴＲＡＮアーキテクチャを示している。ＷＴＲＵは、ネットワーク内の基地局ノードの動作周波数を知っていることができる。これらの周波数についての事前知識を有するオペレータは、そのような情報を、ＷＴＲＵにブロードキャストされ得るシステム情報の一部として含め得る。例えば、ＬＴＥシステムでは、システム情報は、システム情報ブロック（ＳＩＢ）に収めて、定期的にブロードキャストされ得る。特定のＳＩＢが、サービングセルおよび隣接セル情報を、例えば、セル識別情報、動作周波数などをブロードキャストするために使用され得る。図１Ｇは、ＷＴＲＵとＥ−ＵＴＲＡネットワークの間における例示的なシステム情報獲得手順の図を示している。ＳＩＢの１つは、マスタ情報ブロック（ＭＩＢ）であり得、それは、限られた数の頻繁に送信されるパラメータを含み得る。ＳＩＢは、システム情報ブロックタイプ１（ＳＩＢ−１）であり得、それは、他のＳＩＢがいつ送信され得るか（例えば、開始時刻）を示すスケジューリング情報を含み得る。
【００６１】
図１Ｈは、モビリティ管理エンティティ（ＭＭＥ）／サービングゲートウェイハンドオーバの例を示している。図１Ｈは、例えば、ハンドオーバ（ＨＯ）シナリオの高レベル図を示している。図１Ｈに示されるように、ソース進化型ノードＢ（ｅＮＢ）が、ＷＴＲＵ測定手順を構成し得る。ＷＴＲＵは、システム情報、仕様などによって設定された規則に従って、測定レポートを送信し得る。ソースｅＮＢは、測定レポートに基づいて、ハンドオーバ決定を行い得る。ソースｅＮＢは、ハンドオーバ要求メッセージをターゲットｅＮＢに発行し得、ターゲットｅＮＢにおいてハンドオーバを準備するための情報を渡す。例えば、ターゲットｅＮＢが、ＷＴＲＵの入場を許可することを決定した場合、アドミッション制御が、ターゲットｅＮＢによって実行され得る。ターゲットｅＮＢは、Ｌ１／Ｌ２を用いてハンドオーバを準備し得、ハンドオーバ要求肯定応答メッセージをソースｅＮＢに送信し得る。ハンドオーバ要求肯定応答メッセージは、無線リソース制御（ＲＲＣ）メッセージとしてＷＴＲＵに送信される、透過的なコンテナを含み得る。ソースｅＮＢは、ハンドオーバコマンドをＷＴＲＵに送信し得る。
【００６２】
ＷＴＲＵは、ソースセルから離脱し、ターゲットセルに同期し、例えば、無競合手順に従ったランダムアクセスチャネル（ＲＡＣＨ）を介して、ターゲットセルにアクセスし得る。専用ＲＡＣＨプリアンブルが、ハンドオーバコマンド内で示され得、または専用ＲＡＣＨプリアンブルが、ハンドオーバコマンド内で示されなかった場合、競合ベースのＲＡＣＨ手順に従う。ターゲットｅＮＢは、ＷＴＲＵのためのアップリンク割り当ておよびタイミングアドバンス値を有するランダムアクセス応答を送信し得る。ＷＴＲＵは、ハンドオーバ完了メッセージをターゲットｅＮＢに送信し得る。通常のパケットデータ転送が、ＷＴＲＵとターゲットｅＮＢの間で開始され得る。
【００６３】
無線リソース制御（ＲＲＣ）接続再確立が、ＲＲＣ接続の一時的喪失から回復するために使用され得る。セキュリティがアクティブ化され得たＲＲＣ＿ＣＯＮＮＥＣＴＥＤにあるＷＴＲＵは、ＲＲＣ接続再確立を開始して、ＲＲＣ接続を続行し得る。接続再確立は、例えば、対象セルが準備されている（例えば、有効なＷＴＲＵコンテキストを有する）場合に成功し得る。例えば、Ｅ−ＵＴＲＡＮが再確立を受け入れた場合、他の無線ベアラの動作が中断され続け得ている間、ＳＲＢ１動作が再開し得る。例えば、ＡＳセキュリティがアクティブ化されていない場合、ＷＴＲＵは、接続再確立を開始し得ず、ＲＲＣ＿ＩＤＬＥ状態に移行（例えば、直接的に移行）し得る。
【００６４】
ＷＴＲＵは、例えば、条件に基づいて、ＲＲＣ接続再確立を開始し得る。条件は、無線リンク障害の検出、ＨＯ失敗、Ｅ−ＵＴＲＡからのモビリティの失敗、より低位のレイヤからのインテグリティチェック失敗表示、またはＲＲＣ接続再構成失敗のうちの１または複数を含み得る。図１Ｉおよび図１Ｊは、成功シナリオおよび失敗シナリオそれぞれについての、ＲＲＣ接続再確立の例を示している。図１Ｋは、接続再確立がＲＲＣ接続を解放し得る例を示しており、これは、確立された無線ベアラおよび無線リソースの解放を含み得る。
【００６５】
ネットワーク配備がより密になるにつれて、オペレータが隣接者関係（ＮＲ）を手動で管理することは、より困難になり得る。ＮＲを手動で管理する負担からオペレータを解放するために、自動隣接者関係（ＡＮＲ）機能が使用され得る。図１Ｌは、ｅＮＢ内に存在し得るＡＮＲ機能の高レベルブロック図の例を示している。ＡＮＲ機能は、概念的な隣接者関係テーブル（ＮＲＴ）を管理し得る。（例えば、ＡＮＲ内に配置される）隣接者検出機能は、新しい隣接者を見出し、新たに見出された隣接者をＮＲＴに追加し得る。ＡＮＲは、隣接者削除機能を含み得る。隣接者削除機能は、ＮＲ（例えば、古くなったＮＲ）を削除し得る。
【００６６】
図１Ｍは、ＡＮＲ機能の例を提供する。ＡＮＲ機能は、グローバルレベルの識別情報、Ｅ−ＵＴＲＡＮセルグローバル識別子（ＥＣＧＩ）をブロードキャストするセルに依存し得る。図１Ｍに示されるように、サービングセル（例えば、セルＡ）のｅＮＢは、ＡＮＲ機能を有し得る。ｅＮＢは、例えば、通常の呼手順の一環として、ＷＴＲＵの各々に、隣接セルについての測定を実行するように命令し得る。ｅＮＢは、ＷＴＲＵに測定を実行するように命令するために、および／または測定をｅＮＢにいつ報告すべきかに関してＷＴＲＵに命令するために、異なる方針を使用し得る。ＥＣＧＩ情報は、ＷＴＲＵによって報告され得る。ＥＣＧＩ情報は、ＡＮＲ機能によって処理され得、ＮＲＴを更新するために使用され得る。
【００６７】
アナログＴＶ帯域は、超短波（ＶＨＦ）帯域と、極超短波（ＵＨＦ）帯域とを含み得る。ＶＨＦは、（例えば、７２ＭＨｚから７６ＭＨｚを除外する）５４ＭＨｚから８８ＭＨｚで動作する低ＶＨＦ帯域と、１７４ＭＨｚから２１６ＭＨｚで動作する高ＶＨＦ帯域とから成り得る。ＵＨＦ帯域は、４７０ＭＨｚから６９８ＭＨｚで動作する低ＵＨＦ帯域と、６９８ＭＨｚから８０６ＭＨｚで動作する高ＵＨＦ帯域とから成り得る。
【００６８】
ＴＶ帯域内において、ＴＶチャネルは、６ＭＨｚの帯域幅を割り当てられ得る。例えば、チャネル２から６は、低ＶＨＦ帯域内に存在し得、チャネル７から１３は、高ＶＨＦ帯域内に存在し得、チャネル１４〜５１は、低ＵＨＦ帯域内に存在し得、および／またはチャネル５２から６９は、高ＵＨＦ帯域内に存在し得る。
【００６９】
米国では、連邦通信委員会（ＦＣＣ）が、アナログＴＶ放送をデジタルＴＶ放送によって置き換える期限として、２００９年６月１２日を設定した。デジタルＴＶチャネル定義は、アナログＴＶチャネルと同じであり得る。デジタルＴＶ帯域は、アナログＴＶチャネル２から５１（３７を除く）を使用し得るが、アナログＴＶチャネル５２から６９は、新しい非放送ユーザのために使用され得る。ホワイトスペース（ＷＳ）は、放送サービスに割り当てられた、しかしローカルには使用されない周波数を含み得る。テレビジョンホワイトスペース（ＴＶＷＳ）は、ＴＶチャネル２から５１（３７を除く）に関連し得る。
【００７０】
ＴＶ帯域上で送信され得る（例えば、ＴＶ信号以外の）他のライセンスされた信号が存在し得る。例えば、チャネル３７は、電波天文学および無線医療テレメトリサービス（ＷＭＴＳ）のために確保され得、ここで、ＷＭＴＳは、空きＴＶチャネル上で、例えば、７から４６で動作し得る。私設地上モバイル無線システム（ＰＬＭＲＳ）は、ある都市エリアにおいて、１または複数のチャネル（例えば、１４から２０）を使用し得る。リモートコントロールデバイスは、例えば、チャネル３７を除く、チャネル４よりも上のチャネルを使用し得る。ＦＭチャネル２００の開始周波数は、８７．９ＭＨｚであり得、ＴＶチャネル６に部分的に重なる。無線マイクロフォンは、帯域幅が２００ｋＨｚのチャネル、例えば、チャネル２から５１を使用し得る。最近のＦＣＣ規則によれば、無線マイクロフォン使用は、２つの事前指定されたチャネルに制限され得、他のチャネル上での動作は、事前登録を必要とし得る。
【００７１】
さらに、ライセンスされた無線送信機に対して最低限の干渉しか引き起こされない限り、ＦＣＣは、ライセンスされていない無線送信機が、チャネル３、４、３７を除くＴＶＷＳ上で動作することを許可し得る。したがって、ライセンスされていない無線送信機の動作は、いくつかの制約を満たす必要があり得る。
【００７２】
ライセンスされていないＴＶ帯域デバイス（ＴＶＢＤ）は、固定ＴＶＢＤ、モードＩポータブル（またはパーソナル）ＴＶＢＤ、モードＩＩポータブル（またはパーソナル）ＴＶＢＤを含み得る。固定ＴＶＢＤおよびモードＩＩポータブルＴＶＢＤは、ジオロケーションおよび／またはデータベースアクセス機能を有し得、ＴＶ帯域データベースに登録し得る。ＴＶ帯域へのアクセスは、ＴＶ帯域上で送信されるデジタルＴＶ信号およびライセンスされた信号との干渉を回避するために、許可されたＴＶチャネルを求めてデータベースに問い合わせを行うことによって獲得され得る。
【００７３】
スペクトルセンシングは、ＴＶＢＤのためのアドオン機能と見なされ得、デジタルＴＶ信号およびライセンスされた信号に対してごく僅かな干渉しか引き起こされ得ないことを保証するために使用され得る。センシング専用ＴＶＢＤは、例えば、ＴＶ帯域データベースへのアクセスが制限される場合に、ＴＶＷＳ上で動作することを許可され得る。センシング専用ＴＶＢＤは、例えば、３０秒のチャネル利用可能性チェック時間、少なくとも６０秒の間隔におけるサービス中モニタリング、２秒のチャネル立ち退き時間、−１１４ｄＢｍのＡＴＳＣ／ＮＴＳＣ信号のための検出閾値、−１０７ｄＢｍの無線マイクロフォンのための検出閾値などを含む、様々な要件を満たし得る。
【００７４】
図１Ｎは、ＴＶ帯域スペクトル利用の例を示している。固定ＴＶＢＤは、例えば、チャネル２から５１などの、ただしチャネル３、４、３７を除く、チャネル上で動作し得るが、ＴＶサービスによって使用されるチャネル自体、またはそれに最初に隣接するチャネル上で動作し得ない。固定ＴＶＢＤの最大送信電力は、１Ｗであり得、アンテナ利得は、例えば、６ｄＢｉである。最大実効等方放射電力（ＥＩＲＰ）は、４Ｗであり得る。
【００７５】
ポータブルＴＶＢＤは、チャネル３７を除く、チャネル２１から５１上で動作し得るが、ＴＶサービスによって使用されるチャネル自体において動作し得ない。ポータブルＴＶＢＤの最大送信電力は、ＴＶサービスによって使用されるチャネルに最初に隣接するチャネル上の場合、１００ｍＷまたは４０ｍＷであり得る。ＴＶＢＤデバイスの送信電力は、例えば、ＴＶＢＤデバイスがセンシング専用デバイスである場合、５０ｍＷを超え得ない。ＴＶＢＤの各々は、厳格な帯域外放射を有し得る。固定ＴＶＢＤのアンテナ（例えば、屋外アンテナ）の高さは、３０メートル未満であり得るが、ポータブルＴＶＢＤのためのアンテナの高さには、そのような制限は存在し得ない。
【００７６】
ＦＣＣ規制は、集団的な使用モデルを提供し得、それによって、数に限りのない独立のユーザおよび／またはデバイスが、明確に定義された条件のセットの下で、同じ時間に、同じエリアにおいて、スペクトルにアクセスし得る。欧州委員会の諮問グループ、無線スペクトルポリシグループ（ＲＳＰＧ：ｒａｄｉｏ  ｓｐｅｃｔｒｕｍ  ｐｏｌｉｃｙ  ｇｒｏｕｐ）は、ホワイトスペースおよび他のスペクトルが、ライセンスされた共有アクセス（ＬＳＡ）を通して共有され得ることを検討した。ＬＳＡは、認可された共有アクセス（ＡＳＡ）に基づき得る。ＬＳＡは、規制ポリシまたはライセンス管理体制であり、それによって、プライマリ現行者ユーザによって割り当てられたまたは所有された周波数帯域において、限られた数のライセンシが、干渉なしに帯域を使用し得る。ＬＳＡでは、追加のユーザまたはライセンシは、ライセンシがあるレベルのＱｏＳを提供することを可能にし得る、ライセンシに与えられたスペクトルの使用権の中に含まれる共有規則に従って、スペクトルを使用することを許可され得る。ＬＳＡの利点は、スペクトルを使用するように割り当てられたユーザの数が制限され得、スペクトルの使用に関連付けられたより規制的な制御が存在し得ることであり得る。規制者（ｒｅｇｕｌａｔｏｒ）は、誰が与えられた帯域において動作することをライセンスされているかを知り得、現行者ユーザに対して生じ得る干渉のいずれのケースにも効果的に対処するように適切に配置され得る。規制者は、ライセンスが（例えば、特定のライセンス条件の下で）発行され得るときに保証され得たＱｏＳを、各ライセンシが受け取ることを保証する位置に存在し得る。
【００７７】
ＬＳＡシステムは、異なるプライマリサービスまたはスペクトル所有者に属し得るリソースをプールし得る。例えば、複数のセルラオペレータは、ネットワーク負荷が低い期間中にスペクトルのいくらかをライセンスすることに関心をもち得、ＬＳＡを使用して、一定数の他の（例えば、セカンダリ）ユーザまたはライセンシにこのスペクトルがリースされることを可能にし得る。
【００７８】
２３００〜２４００ＭＨｚ帯域が、ＩＴＵによって世界的にモバイルサービスに割り当てられており、時分割複信（ＴＤＤ）技術による使用のために識別される。ＬＳＡを利用する技術は、ＴＤＤに基づき得る。クラウドスペクトル共有（ＣＳＳ）が、提供され得る。空きスペクトルは、一緒にプールされ得、スペクトルを使用するための一時的なライセンスを要求し得る１または複数のシステムに動的に（例えば、非常に短い時間期間において）割り当てられ得るリソースの単一のセットを生成する。
【００７９】
ＬＳＡのための数々スペクトル共有可能性が、商用ドメインと軍事および公安ドメインの両方について識別され得る。共同研究センタ（ＪＲＣ：Ｊｏｉｎｔ  Ｒｅｓｅａｒｃｈ  Ｃｅｎｔｅｒ）は、スペクトルの所有者であり得、スペクトルを公安にリースし得る軍事、スペクトルの所有者であり得、スペクトルを重要なインフラストラクチャパーティにリースし得る公安、スペクトルを商用ネットワークオペレータにリースし得る公安、および／またはスペクトルを特定の事業者にリースし得る商用ネットワークを含む、様々な分野のドメイン間のスペクトル共有可能性を提案した。
【００８０】
例えば、商用ドメインと公安ドメインの間の占有権の動的な移転が、提供され得、様々な使用事例のために想定され得る。例えば、スペクトルは、公安組織によって所有され、緊急状況および経常的な公安業務のために使用され得る。緊急状況が発生しない場合、公安組織は、ピーク時間中に追加のスペクトルから恩恵を受け得る商用オペレータに、スペクトルをリースし得る。オペレータは、スペクトルを利用するために既存のインフラストラクチャを使用し得る、既存のオペレータであり得る。モバイル仮想ネットワークオペレータ（ＭＶＮＯ）は、公安組織によって提供されるインフラストラクチャを利用し得る。オペレータによって所有され得るスペクトルは、例えば、ある緊急イベント中、または計画されたイベントの継続時間の間、追加の帯域幅を必要とし得る公安組織にスペクトルをリースし得る。
【００８１】
セカンダリユーザまたはシステムの明け渡しは、１もしくは複数のセカンダリユーザ基地局もしくはアクセスポイントの明け渡し、および／または１もしくは複数のセカンダリユーザＷＴＲＵの明け渡しを含み得る。例えば、ロングタームエボリューション（ＬＴＥ）システムは、ＬＳＡライセンシとして、チャネルを使用し得る。現行者ユーザ（例えば、ＬＳＡ現行者ユーザまたはプライマリユーザ（ＰＵ））が、スペクトル（例えば、共有スペクトルチャネル）へのアクセスを再獲得したいと望み得る場合、セカンダリユーザ（例えば、ＬＳＡライセンシとして行為するＬＴＥシステム）は、チャネルを明け渡し得る。ＬＴＥシステムは、セカンダリユーザとして、テレビジョンホワイトスペース（ＴＶＷＳ）などのライセンスされていないスペクトルを使用し得る。共有スペクトルチャネル（例えば、ＤＴＶ）の現行者ユーザは、チャネルに戻り得、セカンダリユーザ（例えば、ＬＴＥシステム）に強制的にチャネルを明け渡させ得る。領域（例えば、局所化された領域）内でＬＴＥシステムに関連付けられたＷＴＲＵは、明け渡させられ得る。
【００８２】
システム明け渡しは、セカンダリユーザ（例えば、セカンダリユーザ基地局）が、共有スペクトルチャネル上における現行者ユーザもしくはＰＵの到着および／もしくはじきに生じる到着を通知すること、ならびに／またはセカンダリユーザ基地局が、ＷＴＲＵにその制御下でチャネルを明け渡すように伝えることを含み得る。セカンダリユーザ（例えば、セカンダリユーザＷＴＲＵ）は、現行者ユーザを検出し得、検出を報告し得る。チャネルの明け渡しは、例えば、（例えば、ＲＡＣＨを介する）ハンドオーバ、接続再確立、および／または接続解放を含み得る。
【００８３】
セカンダリユーザ基地局（例えば、ＬＴＥ  ｅＮＢ）は、明け渡し通知を、現行者ユーザから受信し得る。例えば、現行者ユーザは、現行者ユーザがスペクトルの使用をライセンス中であり得る、またはセカンダリ方法でスペクトルを使用するセカンダリユーザについて（例えば、直接的または間接的に）知っていることができる。現行者ユーザは、ＰＵを含み得、本明細書では、２つの用語は、交換可能に使用され得る。現行者ユーザは、例えば、共有スペクトルを優先的に使用し得る、ＬＳＡ現行者システム、レーダシステム、ＤＴＶシステム、または無線マイクロフォンシステムなどを含み得る。セカンダリユーザ（ＳＵ）は、現行者ユーザがスペクトルを使用していないときに共有スペクトルを使用し得る、ＬＳＡライセンシなどのライセンシ、またはＬＴＥ基地局（例えば、ｅノードＢ）および関連するＷＴＲＵ、ＩＥＥＥ８０２．１１ベースのアクセスポイント（ＡＰ）および関連する局などの、セルラネットワーク基地局などを含み得る。ＰＵは、共有チャネルを使用中であり得るＳＵについての何らかの知識を有し得る。
【００８４】
セカンダリユーザ基地局は、システム明け渡しを実行することの必要性を通知され得る。例えば、セカンダリユーザ基地局は、一定の時間瞬間における明け渡しの必要性を知り得る。セカンダリユーザ基地局は、ＰＵ（例えば、ＬＳＡ現行者）によって直接的に送信されたメッセージングまたはシグナリングを通して、明け渡しの必要性を知り得る。セカンダリユーザ基地局は、データベースまたは仲介者などを通して、明け渡しの必要性を知り得る。
【００８５】
セカンダリユーザ基地局は、チャネルを明け渡すことの必要性を、特定の時間瞬間において知っていることができ、または通知され得る。時間瞬間は、現行者オペレータ（例えば、ＬＳＡ現行者オペレータ）とセカンダリユーザオペレータ（例えば、ＬＳＡライセンシオペレータ）の間の協定に基づき得る。例えば、協定は、サブライセンスが与えられ得るときに先立ってネゴシエートされ得る１回限りの協定とし得る。協定は、サブライセンスがいつ有効であり得るかを示し得る時間（例えば、開始時刻）、および／またはサブライセンスがいつ満了し得るかを示し得る時間を含み得る。図２は、時間瞬間（例えば、知られた時間瞬間）における明け渡しのために使用され得る例示的なアーキテクチャを示している。図２に示されるように、オペレータ（例えば、オペレータＡ  ２０２およびオペレータＢ  ２０４）は、ライセンス協定２０６をネゴシエートし得る。ライセンス協定２０６は、ライセンスの開始時刻および／または満了時刻を含み得る。
【００８６】
図２に示されるように、基地局２１２または基地局２１４は、ライセンスの満了時刻を知っていることができ、または満了時刻を知っていることができる、ＭＭＥ（例えば、ＭＭＥ２０８および／もしくはＭＭＥ２１０）などの、制御エンティティもしくは管理エンティティによって送信されるメッセージングによって、それを知らされ得る。満了時刻において、ＭＭＥ（例えば、ＭＭＥ２０８）は、接続されたＷＴＲＵの明け渡しを開始し得る。ライセンス協定は、潜在的なサードパーティ調停者が関与して、２つのオペレータの間で、例えば、セカンダリユーザ（例えば、ＬＳＡライセンシ）と現行者ユーザ（例えば、ＬＳＡ現行者）の間でネゴシエートされた協定を含み得る。ライセンス協定は、（例えば、利用可能なスペクトルチャネルおよび各々についての時間を示しながら）特定の時間に使用するためのスペクトルを対話的に確保し得るセカンダリユーザオペレータの従業員によって人手で記入され得る要求フォームを含み得る。
【００８７】
ライセンス協定２０６は、上と同じ方法で説明され得る、定義された期間および持続時間にわたるセカンダリユーザ基地局２０４によるスペクトル（例えば、共有スペクトルチャネル）の周期的な使用を可能にし得る。セカンダリユーザ基地局は、使用されているチャネルを明け渡すことの必要性を知っていることができ、または例えば、事前定義された各使用期間が満了する前に、ＭＭＥ２１０などの管理エンティティによって、これを通知され得る。
【００８８】
ＬＳＡ現行者および／またはＬＳＡライセンシは、ＬＴＥシステムとし得る。プロトコル（例えば、ＬＴＥプロトコル）が、チャネルまたは帯域の明け渡しの必要性をＬＳＡライセンシ基地局に伝えるために使用され得る。ＬＳＡ現行者がスペクトルへのアクセスを再獲得することの必要性（例えば、ピークレート時間または大きなネットワーク負荷の場合に追加の容量を提供することの必要性）は、ネットワークの機能に依存し得、および／またはそのＬＴＥネットワークのネットワーク管理エンティティによってトリガされ得る。ネットワーク管理エンティティは、仲介者および／またはデータベースを含み得る。仲介者および／またはデータベースは、ＬＳＡライセンシネットワークの一部とし得、ＬＳＡ現行者ネットワークの一部とし得、および／またはネットワークの外部にあり得る。明け渡しの必要性は、外部イベント（例えば、緊急状況に起因する休眠または未使用ネットワークのアクティブ化）によってトリガされ得る。ＬＳＡ現行者システムの基地局は、それが所有し得るスペクトル上でセルをアクティブ化することの必要性を通知され得、次に、ＬＳＡライセンシのｅＮＢに伝達し得る。共通管理エンティティまたは各ネットワークを担当する個別管理エンティティが、現行者基地局およびライセンシ基地局に通知し得る。
【００８９】
図３は、例えば、ＬＳＡ現行者からのシグナリングによってトリガされる明け渡しを示している。図３に示されるように、３１０において、チャネル回復要求が、例えば、ＬＳＡ現行者ネットワークのネットワーク管理／チャネル管理エンティティ３０２によって、ＬＳＡ現行者基地局３０４に対してトリガされ得る。チャネル回復要求は、他の手段によってトリガされ得る。ＬＳＡ現行者基地局３０４内のエンティティが、このメッセージを担当し得る。例えば、ＬＳＡチャネルの回復を決定し得るチャネル管理エンティティは、ＬＳＡ現行者基地局３０４内に存在し得る。
【００９０】
Ｘ２インターフェースが、ＬＳＡ現行者基地局３０４とＬＳＡライセンシ基地局３０６の間の通信のために使用され得る。Ｘ２インターフェースは、ＬＳＡ現行者基地局３０４とＬＳＡライセンシ基地局３０６の間の基地局チャネル明け渡し調整を提供し得る。ＬＳＡライセンス協定は、ＬＳＡライセンシ基地局３０６とＬＳＡ現行者基地局３０４が、Ｘ２インターフェース上で通信することの必要性を示し得る。
【００９１】
図３に示されるように、３１２において、ＬＳＡ現行者基地局３０４は、例えば、Ｘ２インターフェース上で、システム明け渡しメッセージをＬＳＡライセンシ基地局３０６に送信し得る。３１４において、システム明け渡しメッセージは、ＷＴＲＵ３０８（例えば、サブライセンスされたＬＳＡチャネルを使用しているＷＴＲＵ）の明け渡しをトリガし得る。ＬＳＡライセンシ基地局３０６が、ＷＴＲＵ明け渡し手順３１４を完了すると、３１８において、ＬＳＡライセンシ３０６は、肯定応答メッセージ（例えば、システム明け渡し完了メッセージ）を送信し得る。ＬＳＡ現行者基地局３０４は、所有されるチャネルの使用を開始し得、３２０において、チャネル回復応答をチャネル管理エンティティに送信して、サブライセンスされたＬＳＡチャネルの回復を通知し得る。
【００９２】
図３における例によって示されるように、３１６において、ＬＳＡ現行者基地局３０４は、（例えば、システム明け渡し完了メッセージがライセンシによって送信され得ない場合）、３１２においてシステム明け渡しメッセージを送信した後直ちに、所有されるチャネルの使用を開始し得る。３１８において、システム明け渡し完了メッセージを受信すると、３２２において、ＬＳＡ現行者基地局３０４は、所有されるチャネルの使用を開始し得る。
【００９３】
システム明け渡しメッセージおよびシステム明け渡し完了メッセージは、Ｘ２インターフェースが、ＬＳＡ現行者基地局とＬＳＡライセンシ基地局の間で利用される場合、Ｘ２ＡＰ（Ｘ２アプリケーションプロトコル）メッセージを含み得る。明け渡しメッセージおよび確認メッセージに加えて、メッセージは、明け渡されるサブライセンスされたＬＳＡチャネルの識別情報、明け渡しの時間制限もしくは遅延、または代用として使用され得る代替チャネルについての情報のうちの１または複数を含み得る。システム明け渡し完了メッセージは、提案された代用チャネルを使用するための協定を確認し得る。
【００９４】
図４は、例えば、同期チャネル（ＳＣＨ）および／または基準信号（ＲＳ）送信を使用してシステム明け渡しメッセージを送信する例を示している。同期シンボルは、イントラ周波数測定のために構成され得るＷＴＲＵによって検出され得る。これらのシンボルの検出は、検出を実行し得るＷＴＲＵによって、基地局に知らされ得る。これらのシンボルの検出は、トリガされた測定イベントの形式で送信され得る。トリガされた測定イベントは、ＬＳＡライセンシシステムのためのＷＴＲＵ明け渡し手順を開始し得る。
【００９５】
図４に示されるように、４１２において、ＬＳＡ現行者基地局４０４のＬＳＡ現行者ネットワーク／チャネル管理エンティティ４０２は、許容可能および／または許容不可能なセルＩＤの識別情報を、ライセンシ基地局４０８のＬＳＡライセンシネットワーク／チャネル管理エンティティ４０６に送信し得る。４１６において、ＬＳＡライセンシ基地局４０８は、ＬＳＡチャネル上においてセルを使用可能であり得る。この情報は、隣接チャネルまたは隣接エリアにおいてアクティブな他の現行者ｅＮＢに干渉せずに、ＬＳＡライセンシがチャネル上で動作することを可能にし得、ＳＣＨを送信することによって現行者が強制的にチャネルを明け渡させることを決定し得た時間中に、現行者とライセンシの間の潜在的な干渉を回避し得る。
【００９６】
４１８において、ＬＳＡライセンシ基地局４０８は、現行者イベント構成を（例えば、ＲＲＣメッセージングを通して）関連付けられたＷＴＲＵ４１０に送信し得る。イベント構成は、現行者システムが使用し得る１または複数のセルＩＤを含み得る。４２０において、ＷＴＲＵは、受信された現行者イベント構成に基づいて、イントラ周波数測定を開始し得、ＬＳＡチャネルのモニタリングを開始し得る。イントラ周波数測定は、他のセルを探索および検出するために、ライセンシｅＮＢおよび／またはＷＴＲＵにおいて構成され得る。４２２において、ＬＳＡライセンシシステムは、ＬＳＡチャネルの使用を開始し得る。
【００９７】
４２４において、ＬＳＡ現行者基地局４０４のＬＳＡ現行者ネットワーク／チャネル管理エンティティ４０２は、チャネル回復要求４２４をＬＳＡ現行者基地局４０４に送信し得る。４２６において、ＬＳＡ現行者ｅＮＢ４０４は、プライマリ同期信号（ＰＳＳ）および／またはセカンダリ同期信号（ＳＳＳ）ならびにＲＳ４２８の送信を開始し得る。４３０において、ＬＳＡライセンシＷＴＲＵ４１０の１つなど、セカンダリユーザＷＴＲＵは、現行者セルＩＤを含み得る、ＬＳＡ現行者基地局のＳＣＨを検出し得る。ＷＴＲＵ４１０の１つは、ＬＳＡチャネル上においてアクティブな現行者基地局を検出し得る。４３２において、ライセンシＷＴＲＵは、イベントを知らせる検出メッセージ（例えば、ＲＲＣメッセージ）を生成し、ＬＳＡライセンシ基地局４０８に送信し得る。ＬＳＡライセンシ基地局４０８は、システム明け渡しメッセージと同じ方法で、イベントを知らせるメッセージを扱い得る。ＬＳＡライセンシ基地局４０８は、イベントを知らせるメッセージに応答して、（例えば、本明細書で説明されるような）ＷＴＲＵ明け渡し手順４３４を開始し得る。
【００９８】
ＬＳＡ現行者基地局４０４は、（例えば、本明細書では図３の３１６において説明されるように）ＳＣＨおよび基準シンボルが送信されたとき直ちに、サブライセンスされたＬＳＡチャネルの使用を開始し得る。基地局は、（例えば、本明細書では図３の３２２において説明されるように）ＬＳＡライセンシがチャネルを明け渡したと決定されたときに、所有されるチャネルの使用を実際上開始し得る。これは、（例えば、ＷＴＲＵがセル上にキャンプオンすることを可能にするいかなるシステム情報も送信せずに）ＳＣＨおよび基準シンボルを送信することによって達成され得る。現行者ｅＮＢ４０４は、チャネルのセンシングを実行して、ＬＳＡライセンシ基地局４０８がチャネルを明け渡したときを決定し得る。現行者基地局４０４は、（例えば、明け渡し時間についての厳格な要件に基づいた）、サブライセンスされたＬＳＡチャネルが利用可能にされたことを保証し得る許容可能な遅延間隔の間、待ち得る。明け渡し時間の間、ＬＳＡライセンシ基地局は、（例えば、ＷＴＲＵによってトリガされたイベントを介して）システム明け渡しメッセージを受信し得、ＷＴＲＵ明け渡しを完了し得る。４３６において、現行者基地局４０４は、システム情報の送信を開始し得、実際上はチャネルの使用および／またはＷＴＲＵ接続の受け入れを開始し得る。４３８において、現行者基地局４０４は、システム情報の送信が開始したときに、チャネル回復応答をチャネル管理エンティティ４０２に送信し得る。
【００９９】
現行者基地局４０４は、ＲＳをオンにせずに、ＳＣＨをオンにし得る。これは、システム明け渡しが行われ得る間に、ライセンシシステムに最小量の干渉しかもたらし得ない。ＲＳは、基地局がシステム情報の送信を開始し得たとき（例えば、許容可能な明け渡し遅延が満了した後、またはライセンシ明け渡しが完了したことをセンシングが知らせていると決定したとき）、オンにされ得る。ＬＳＡライセンシ基地局は、ＬＳＡ現行者基地局のＳＣＨの測定および検出を実行し得る。そのようなセットアップは、例えば、測定を実行することが可能な接続されたＷＴＲＵまたはＷＴＲＵが存在しない場合に有利であり得る。ＬＳＡライセンシシステムの基地局は、サブライセンスされたＬＳＡチャネルの使用に先立って、（例えば、現行者のセルＩＤに対応する）モニタリングされるべきセルＩＤを知らされ得る。ＬＳＡライセンシ基地局は、現行者のＳＣＨの有無についてＬＳＡチャネルをモニタリングし得、ＬＳＡ現行者基地局に属し得るＬＳＡチャネルを検出した場合、ＷＴＲＵ明け渡しをトリガし得る。
【０１００】
システム明け渡しメッセージは、現行者システムによって送信される通常のシステム情報の形式を取り得る。現行者システムは、チャネルへのアクセスを再獲得したいと望み得る場合、ＳＩＢの形式でＳＣＨおよびシステム情報を送信し得る。現行者オペレータのＰＬＭＮ  ＩＤが、ＬＳＡライセンシシステムにおいてシステム明け渡しをトリガするための表示として使用され得る。ＬＳＡライセンシ基地局は、メッセージングまたは事前構成を通して、ＬＳＡ現行者ネットワークのＰＬＭＮ  ＩＤを知らされ得る。ＬＳＡライセンシ基地局は、測定イベントを（例えば、ＲＲＣメッセージングを介して）ＷＴＲＵに送信して、ＬＳＡチャネル上でＰＬＭＮ探索を実行する（例えば、周期的に実行する）ようにＷＴＲＵに知らせ得る。ＷＴＲＵは、他のセルを探すための探索を実行し、ＳＩＢ１を読んで他のセルのＰＬＭＮ  ＩＤを取り出し得る。ＷＴＲＵは、ＰＬＭＮ探索を実行し、ＬＳＡ現行者システムのＰＬＭＮ  ＩＤを見つけた場合、イベントをトリガし、基地局にイベントを通知し得る。明け渡しは、イベントに応答して、ライセンシｅＮＢによって開始され得る。ライセンシ基地局は、例えば、ｅＮＢ上に接続されたＷＴＲＵが存在しない場合、周期的なＰＬＭＮ探索を実行し得る。ＷＴＲＵおよび基地局は、同時にＰＬＭＮ探索を実行し得る。
【０１０１】
さらに、システム明け渡しメッセージは、特別なＲＡＣＨメッセージの形式を取り得る。メッセージは、現行者ｅＮＢによって、ライセンシ基地局に送信され得る。ＲＡＣＨメッセージ、例えば、ランダムアクセスプリアンブルの使用は、２つの基地局の間の正確な同期を欠いていても、システム明け渡しメッセージの信頼性の高い送信を可能にし得る。
【０１０２】
図５は、ＬＴＥにおけるシステム明け渡しのサポートに使用され得るＲＡＣＨ手順の例を示している。手順は、本明細書で説明されるような（例えば、図３に示されるような）、システム明け渡しメッセージ、およびシステム明け渡し完了メッセージを実施し得る。例えば、現行者ｅＮＢは、例えば、ＬＳＡ周波数上でのセルの送信および操作を開始するのに先立って、ライセンシｅＮＢからのシステム情報をリッスンおよび／または検出し得る。現行者ｅＮＢは、システム情報を用いて事前構成し得る。システム情報の獲得に続いて、現行者基地局は、ライセンシ基地局システム情報によって指定されるＲＡＣＨ機会中、ＲＡＣＨメッセージを送信し得る。このＲＡＣＨメッセージは、それが、ネットワークに接続しようと試みているＷＴＲＵではなく、現行者システムから発したものであることを、ライセンシ基地局に知らせ得る。例えば、確保または合意されたＷＴＲＵ  ＩＤが、この情報を伝達するために、ＲＡＣＨメッセージにおいて使用され得る。
【０１０３】
図５に示されるように、５０８において、ＬＳＡ現行者基地局５０２は、ランダムアクセスプリアンブルをＬＳＡライセンシ基地局５０４に送信し得る。ランダムアクセスプリアンブルは、所有されるチャネルを回復するというＬＳＡ現行者の意図を伝達し得る、特別なプリアンブル、確保されたプリアンブル、および／または合意されたプリアンブルを含み得る。５１０において、ＬＳＡライセンシ基地局５０４は、チャネルを明け渡すことの必要性のＬＳＡライセンシ基地局５０４による受信を確認するために、ランダムアクセス応答を送信し得る。ランダムアクセス応答は、ダウンリンク共用チャネル（ＤＬ−ＳＣＨ）上で送信され得、最初のステップにおいて送信された特別なプリアンブルとともに、例えば、ランダムアクセス無線ネットワーク一時識別子（ＲＡ−ＲＮＴＩ）を使用して、物理ダウンリンク制御チャネル（ＰＤＣＣＨ）上で知らされ得る。競合のリスクがない場合、（例えば、与えられたチャネルについてＬＳＡ現行者が１つしか存在しない場合）、競合解決は必要とされ得ない。例えば、チャネルに複数のＬＳＡ現行者が関連付けられる場合、競合解決が実行され得る。
【０１０４】
ランダムアクセス応答は、チャネルを明け渡すことの必要性を検出するために、ＬＳＡライセンシＷＴＲＵ５０６などのセカンダリユーザＷＴＲＵによって使用され得る（したがって、ＷＴＲＵ明け渡しとして使用され得る）。ランダムアクセス応答メッセージ（例えば、従来のランダムアクセスメッセージ）内の情報は、明け渡し自体についての情報（例えば、明け渡しの遅延、明け渡しの正確な時刻、代替チャネルの識別情報など）と交換され得る。
【０１０５】
（例えば、ＲＡＣＨ内で使用されるような）端末識別情報は、代替チャネル識別情報の決定によって取って代わられ得る。ＬＳＡ現行者基地局は、基地局ライセンシｅＮＢに、明け渡しの後で同じＬＳＡライセンス協定下で使用され得る代替チャネルについての情報を提供し得る。
【０１０６】
明け渡しは、データベースまたは仲介者によってトリガされ得る。ＬＳＡライセンシは、チャネルを明け渡すことの必要性をライセンシに通知し得る、データベースまたは仲介者のサービスに加入し得る。データベースまたは仲介者は、ＬＳＡ現行者によって利用可能にされ得るチャネルの割り当てを担当し得る。図６は、データベースまたは仲介者６０４が、ＬＳＡライセンシ基地局６０８に、ＬＳＡチャネルを明け渡すことの必要性を通知し得る例を示している。この情報交換は、データベースおよび／または仲介者６０４と、ＬＳＡライセンシ基地局６０８および現行者基地局６０２のＭＭＥとの間で行い得る。６１０において、ＬＳＡ現行者基地局６０２、データベースまたは仲介者６０４、およびＬＳＡライセンシ６０８は、ＬＳＡ現行者システムによって所有されるＬＳＡチャネルの使用についてのＬＳＡライセンスをネゴシエートし得る。６１２において、ＬＳＡライセンシ基地局６０８は、ネゴシエートされたライセンスに基づいて、ＬＳＡチャネルの使用を開始し得る。６１４において、ＬＳＡ現行者基地局６０２は、リースされたＬＳＡチャネルの返還を要求することが必要になり得る。６１６において、ＬＳＡ現行者基地局は、リースされたチャネルの回復の必要性を知らせるチャネル回復要求を、データベースまたは仲介者６０４に送信し得る。６１８において、データベースまたは仲介者６０４は、システム明け渡しメッセージを、ＬＳＡライセンシ基地局６０８などのセカンダリユーザ基地局に送信し得る。６２０において、ＬＳＡライセンシ基地局６０８は、リースされたＬＳＡチャネルの明け渡しを開始および実行し得る。６２２において、ＬＳＡライセンシ基地局６０８は、システム明け渡し完了メッセージを、データベースまたは仲介者６０４に送信し得る。６２４において、ＬＳＡ現行者基地局６０２は、チャネル回復確認を、データベースまたは仲介者６０４から受信し得る。ＬＳＡ現行者基地局６０２は、本明細書で説明されるように、ＬＳＡチャネルへのアクセスを再獲得し得る。
【０１０７】
図７は、データベースまたは仲介者７０４が、ＬＳＡライセンシ基地局７０６に、ＬＳＡチャネルを明け渡すことの必要性を通知し得る例を示している。図７に示されるように、７１６において、ＬＳＡ現行者基地局７０２、データベースまたは仲介者７０４、およびＬＳＡライセンシ７０６は、ＬＳＡ現行者システムによって所有されるＬＳＡチャネルの使用についてのＬＳＡライセンスをネゴシエートし得る。７１８において、ＬＳＡライセンシ基地局７０６は、ネゴシエートされたライセンスに基づいて、ＬＳＡチャネルの使用を開始し得る。７１２において、ＬＳＡライセンシ基地局７０６は、明け渡しが必要とされるかどうかを判定するために、仲介者またはデータベースを用いて、現在使用されているチャネルのステータスを周期的にチェックし得る。ＬＳＡライセンシ基地局７０６によってデータベースまたは仲介者７０４が相談され得る周期は、ＬＳＡライセンシ基地局７０６、ＬＳＡ現行者基地局７０２、ならびにＬＳＡ仲介者および／またはデータベース７０４の間で確立され得る、ＬＳＡライセンス協定の一環として定義され得る。この情報交換は、データベースおよび／または仲介者７０４と、ＬＳＡライセンシ基地局７０６および現行者基地局７０２のＭＭＥとの間で行い得る。７１４において、ＬＳＡライセンシＭＭＥは、影響される基地局に、チャネルが明け渡される、または別のチャネルと交換されることが必要とされることを知らせ得る。データベースまたは仲介者７０４は、与えられたエリアにおいて、１または複数のＬＳＡ現行者のために１または複数のＬＳＡライセンスを管理し得る。データベースまたは仲介者チェックは、それを識別するために、ライセンスまたはライセンシのＩＤを含み得る。７１４において、ＬＳＡ現行者基地局７０２は、リースされたＬＳＡチャネルの返還を再要求することが必要になり得る。７１８において、ＬＳＡ現行者基地局は、リースされたチャネルの回復の必要性を知らせるチャネル回復要求を、データベースまたは仲介者７０４に送信し得る。７２０において、データベースまたは仲介者７０４は、ＬＳＡライセンシ基地局７０６へのシステム明け渡しメッセージを開始し得る。７２２において、ＬＳＡライセンシ基地局７０６は、リースされたＬＳＡチャネルの明け渡しを開始および実行し得る。７２４において、ＬＳＡライセンシ基地局７０６は、システム明け渡し完了メッセージを、データベースまたは仲介者７０４に送信し得る。７２６において、ＬＳＡ現行者基地局７０２は、チャネル回復確認をデータベースまたは仲介者７０４から受信し得る。ＬＳＡ現行者基地局７０２は、ＬＳＡチャネルへのアクセスを再獲得し得る。
【０１０８】
基地局によってサービスされ得る１または複数のＷＴＲＵのチャネル明け渡しは、ＰＵの到着を検出および報告したＷＴＲＵによって実行され得る。チャネルタイプのＷＴＲＵへのシグナリングは、チャネル上で動作する場合にＷＴＲＵ挙動を制御するために使用され得る。図８は、例えば、ＳＩＢ２を介してチャネルタイプをＷＴＲＵに伝達するために使用され得る、例示的な情報要素を示している。情報要素は、ダウンリンクチャネルタイプおよび／またはアップリンクチャネルタイプを含み得る。ダウンリンクチャネルタイプまたはアップリンクチャネルタイプは、チャネルが、利用可能なチャネルか、サブライセンスされたチャネルか、またはＰＵ割り当てチャネルかを示し得る。ＷＴＲＵは、チャネルタイプに基づいて、動作モードを変更し得る。例えば、ＷＴＲＵは、チャネルタイプに基づいて、ＰＵ検出を実行すべきかどうかを判定し得る。ＰＵ検出、レポーティング、および／またはチャネル明け渡しの実行などのＷＴＲＵ挙動は、チャネルタイプによって条件付けられ得る。例えば、利用可能なチャネル上で動作する場合、レガシ手順が使用され得る。サブライセンスまたはＰＵ割り当てなどの代替タイプ上で動作する場合、ＰＵ検出、検出レポーティング、およびチャネル明け渡しが実行され得る。ＰＵ割り当てチャネルは、ＰＵに割り当てられたチャネルであり得る。ＰＵが検出された場合、ＰＵは、セカンダリユーザがチャネルから立ち退くことを必要とし得る。
【０１０９】
専用シグナリングが、チャネルタイプを伝達するために、および／または様々な手順の実行を可能にするために使用され得る。例えば、増強されたＲＲＣ測定構成およびレポーティングが、ＰＵ検出レポーティング機能を使用可能／使用不可能にするために使用され得る。ＲＲＣ測定構成およびレポーティングは、ｅＮＢに対するＰＵ検出レポーティングのために使用され得る。測定手順は、ＰＵ検出およびレポーティングを可能にする測定量およびレポーティングイベントを定義し得る。
【０１１０】
１または複数のＰＵ検出レポーティングが提供され得る。様々なＰＵ検出レポーティング実施は、媒体アクセス制御制御要素（ＭＡＣ  ＣＥ）ベースの検出、物理アップリンク制御チャネル（ＰＵＣＣＨ）ベースの検出、またはランダムアクセスチャネル（ＲＡＣＨ）ベースのＰＵ検出レポーティングなどのうちの１または複数を含み得る。
【０１１１】
ＭＡＣ  ＣＥベースの検出レポーティングは、ｅＮＢへの待ち時間が短いＰＵ検出レポーティングを可能にするために使用され得る。図９は、アップリンクプライマリユーザ（ＵＬ−ＰＵ）検出ＭＡＣ制御要素の例を示している。ＵＬ−ＰＵ検出ＭＡＣ制御要素は、論理チャネルＩＤ（ＬＣＩＤ）を有するＭＡＣプロトコルデータユニット（ＭＡＣ  ＰＤＵ）サブヘッダによって識別され得る。サブヘッダは、確保されたアップリンク共用チャネル論理チャネルＩＤ（ＵＬ−ＳＣＨ  ＬＣＩＤ）のセットから選択され得る。サブヘッダは、可変サイズを有し得、１または３オクテットを含み得る。図９に示されるように、第１のオクテット９０２は、７つのＣフィールド（例えば、Ｃ１〜Ｃ７）と、１つのＰフィールド（例えば、Ｐ１）とを有し得る。第２のオクテット９０４および第３のオクテット９０６は、それぞれ、物理セル識別情報（ＰＣＩ）フィールドの最下位ビット（ＬＳＢ）および最上位ビット（ＭＳＢ）を含み得る。
【０１１２】
ＰＵ検出ＭＡＣ制御要素の第１のオクテットＯｃｔ１  ９０２において、例えば、ＳＣｅｌｌＩｎｄｅｘ  ｉを用いて構成されたセカンダリサービングセル（ＳＣｅｌｌ）が存在する場合、このフィールドは、チャネルのＰＵ検出ステータスがＳＣｅｌｌＩｎｄｅｘ  ｉを有するＳＣｅｌｌによって使用されることを示し得る。それ以外の場合、ｅＮＢは、Ｃiフィールドを無視し得る。Ｃiフィールドは、ＳＣｅｌｌＩｎｄｅｘ  ｉを有するＳＣｅｌｌによって使用されるチャネル上でＰＵが検出されたことを示すために、１に設定され得る。Ｃiフィールドは、ＳＣｅｌｌＩｎｄｅｘ  ｉを有するＳＣｅｌｌによって使用されるチャネル上でＰＵが検出されなかったことを示すために、０に設定され得る。
【０１１３】
第１のオクテットＯｃｔ１  ９０２は、プライマリセル（ＰＣｅｌｌ）のＰＵ検出ステータスを示し得る。Ｏｃｔ１  ９０２のＰフィールドは、ＰＣｅｌｌによって使用されるチャネル上でＰＵが検出されたことを示すために、１に設定され得る。Ｐフィールドは、ＰＣｅｌｌによって使用されるチャネル上でＰＵが検出されなかったことを示すために、０に設定され得る。
【０１１４】
第２のオクテットＯｃｔ２  ９０４および第３のオクテットＯｃｔ３  ９０６は、ＷＴＲＵによって測定された最良のセルのＰＣＩを示し得る。第２のオクテットＯｃｔ２  ９０４は、ＰＣＩのＬＳＢを保有し得る。第３のオクテットＯｃｔ３  ９０６は、ＰＣＩのＭＳＢを保有し得る。ＰＣｅｌｌによって使用されるチャネル上でＰＵが検出され得る場合、Ｏｃｔ２  ９０４およびＯｃｔ３  ９０６内に、ＰＣＩ情報が含まれ得る。フィールドの長さは、１６ビットである。
【０１１５】
ＷＴＲＵは、ＰＵＣＣＨを使用して、ＰＵ検出表示をｅＮＢに送信し得る。スケジューリング要求（ＳＲ）は、ＰＵＣＣＨフォーマット１を使用して、リソースを求める要求を示し得る。ＷＴＲＵは、ＰＵＣＣＨフォーマット１を使用して、ＰＵ検出表示をｅＮＢに送信し得る。ＰＵ検出表示のｅＮＢへの送信は、例えば、利用可能なＳＲ  ＰＵＣＣＨリソースのサブセットを確保することによって達成され得る。ＳＲ  ＰＵＣＣＨリソースのリソースインデックスの識別は、例えば、３ＧＰＰ  ＴＳ  ３６．２１３  ｖ１０．５．０、Ｐｈｙｓｉｃａｌ  Ｌａｙｅｒ  ｐｒｏｃｅｄｕｒｅｓ  （Ｒｅｌｅａｓｅ  １０）のｔａｂｌｅ  １０．１．５−１に列挙されるように提供され得る。リソースインデックスの識別は、例えば、より高位のレイヤによって提供されるような、ＳＲ構成インデックス（例えば、ｓｒ−ＣｏｎｆｉｇＩｎｄｅｘ）パラメータによって制御され得る。追加のＰＵ構成インデックス（例えば、ｐｕ−ＣｏｎｆｉｇＩｎｄｅｘ）は、ＰＵ検出を伝達するために使用され得るＳＲリソースのサブセットを識別するために使用され得る。例えば、０〜４のｓｒ−ＣｏｎｆｉｇＩｎｄｅｘは、ＳＲリソースのための５ｍｓの周期性、および構成インデックスによって提供されるオフセットを示し得る。ｐｕ−ＣｏｎｆｉｇＩｎｄｅｘは、例えば、上で述べられたｔａｂｌｅ  １０．１．５−１におけるように定義され得る。ｐｕ−ＣｏｎｆｉｇＩｎｄｅｘは、ＰＵ検出のために使用され得るＳＲリソースの周期性を示し得る。例示的な場合におけるＰＵ検出リソースは、ＳＲリソースの半分がＰＵ検出表示のために使用され得、一方、他の半分がＳＲのために使用され続け得る場合、１０ｍｓの間隔で生じ得る。ｐｕ−ＣｏｎｆｉｇＩｎｄｅｘおよび関連するテーブルは、ＰＵおよびＳＲリソースを識別（例えば、明確に識別）し得、フレーム番号ｍｏｄｕｌｏ  ｋに基づき得、ここで、ｋは、ｐｕ−ＣｏｎｆｉｇＩｎｄｅｘに関連し得る。
【０１１６】
ＰＵ検出のＷＴＲＵシグナリングは、ｓｒ−ＣｏｎｆｉｇＩｎｄｅｘに基づき得、ＷＴＲＵは、ＳＲおよびＰＵ検出表示のためにＰＵＣＣＨ内で使用し得る利用可能なＳＲリソースを識別し得る。ＷＴＲＵ  ＰＵ検出は、ｐｕ−ＣｏｎｆｉｇＩｎｄｅｘに基づき得る。ＷＴＲＵは、ＰＵ検出表示のために確保され得るＳＲリソースのサブセットを識別し得る（一方、残りはＳＲのために使用され得る）。ＰＵがＷＴＲＵによって検出された場合、ＷＴＲＵは、ＰＵ検出表示のために確保され得た次の利用可能なＳＲリソースを待ち得る。ＷＴＲＵは、そのリソース上で正のエネルギーを送信し得る。
【０１１７】
ＰＵＣＣＨフォーマット１を使用するＳＲリソースは、ＰＵ検出を伝達するために再利用され得る。ＰＵＣＣＨフォーマット１を使用するＳＲは、ＳＲリソースについて、否定ＡＣＫ（ＮＡＣＫ）シンボル、例えば、ｄ（０）＝１を送信し得る。同じＰＵＣＣＨフォーマット１  ＳＲリソースが、そのＳＲリソースについて、例えば、送信ｄ（０）＝−１を有するＰＵ検出を送信するために使用され得る。
【０１１８】
ＰＵ検出のＷＴＲＵシグナリングは、ｓｒ−ＣｏｎｆｉｇＩｎｄｅｘに基づき得る。ＷＴＲＵは、ＳＲおよびＰＵ検出表示のためにＰＵＣＣＨ内でＷＴＲＵが使用し得る利用可能なＳＲリソースを識別し得る。これらは、ＰＵＣＣＨフォーマット１を使用するリソースに限定され得る。例えば、ＰＵがＷＴＲＵによって検出された場合、ＷＴＲＵは、次の利用可能なＰＵＣＣＨフォーマット１  ＳＲリソースを待ち得る。ＷＴＲＵは、そのリソース上でｄ（０）＝−１を送信し得る。ＳＲの正規の送信の場合、ＷＴＲＵは、ＳＲリソース上でｄ（０）＝１を送信し得る。
【０１１９】
リソースのサブセットを識別するのに加えて、ＰＵ構成インデックス（例えば、ｐｕ−ＣｏｎｆｉｇＩｎｄｅｘ）が、追加のリソースを生成するために使用され得る。ＰＵ構成インデックスは、同様の方法で使用され得るが（例えば、ＰＵ構成インデックスは、周期性およびおそらくはオフセットを与えるテーブルに関連付けられ得るが）、ＰＵ検出表示を送信するための、ＰＵＣＣＨ上の新しいリソースを表し得る。
【０１２０】
（例えば、ＭＡＣ  ＣＥベース、ＰＵＣＣＨベースなどの）ＰＵ検出表示は、ＲＲＣ＿ＣＯＮＮＥＣＴＥＤ  ＷＴＲＵに適用可能であり得る。ＷＴＲＵがＲＲＣ＿ＩＤＬＥモードにあり得る場合、例えば、ＷＴＲＵがＲＲＣ＿ＩＤＬＥモードにおいてＰＵの測定を実行し得る場合、ＷＴＲＵがＰＵ検出を送信することが望まれ得る。ＲＡＣＨベースのＰＵ検出表示が使用され得、それは、ＲＲＣ＿ＩＤＬＥまたはＲＲＣ＿ＣＯＮＮＥＣＴＥＤモードにおいて、ＰＵ表示を送信することを可能にし得る。ＰＵを検出したＷＴＲＵは、特別なまたは合意されたランダムアクセスプリアンブルの送信によって、検出をｅＮＢに知らせ得る。この特別なランダムアクセスプリアンブルは、ｅＮＢによって決定され、ＳＩＢ２内のＲＡＣＨ構成システム情報を使用してブロードキャストされ得る。
【０１２１】
プリアンブルのセットが、ＰＵ検出を伝達するために確保され得る。ｅＮＢは、受信されたプリアンブルに基づいて、どのＷＴＲＵがＰＵを検出したかを決定し得る。ＷＴＲＵは、ＰＵの検出の場合に、ＰＵ検出ランダムアクセスプリアンブル、またはＰＵ検出ランダムアクセスプリアンブルのセット内のプリアンブルの１つを使用することを知っていることができ、ｅＮＢは、（例えば、接続目的の）通常のＲＡＣＨを、ＰＵの検出を伝達するために使用されるＲＡＣＨから区別でき得る。図１０は、システム情報ブロック（ＳＩＢ）、例えば、ＳＩＢ２の例を示している。図１０に示されるように、ＳＩＢ２は、プリアンブルシーケンスを示すためのｐｕＤｅｔｅｃｔｉｏｎＰｒｅａｍｂｌｅＳｅｑｕｅｎｃｅフィールドを含み得る。
【０１２２】
図１１は、ＲＡＣＨベースのＰＵ検出の例を示している。図１１に示されるように、１１０８において、ＰＵを検出し得るＷＴＲＵ１１０２は、特定のまたは知られたシーケンスで、ＲＡＣＨプリアンブルを送信し得る。ＷＴＲＵは、無線ネットワーク一時識別子（ＲＡ−ＲＮＴＩ）上で、ＲＡＣＨ応答を待ち得る。ＲＡＣＨプリアンブルは、ＲＡＣＨ応答が受信されない場合、徐々に増やされる送信電力で送信し得る。１１１０において、ＷＴＲＵは、例えば、ＲＡＣＨプリアンブルと一致するＲＡＣＨ応答を、ＲＡ−ＲＮＴＩ上で受信し得る。ＲＡＣＨ応答が、ＷＴＲＵ１１０２によって受信された場合、ＷＴＲＵ１１０２は、ＷＴＲＵが送信しようと試みたＰＵ検出表示を基地局１１０４が知っていることを知らされ得る。
【０１２３】
ＲＡＣＨ応答は、チャネル上のＷＴＲＵの各々に明け渡させるために使用され得る。ＰＵ検出のための特別なＲＡＣＨプリアンブルに対するＲＡＣＨ応答は、ｅＮＢがチャネルから立ち退き得る遅延などの、チャネルの明け渡しについての情報、または代替チャネル情報（例えば、ＷＴＲＵが代替チャネル情報をどのように取り出し得るかについての命令）を含み得る。ＰＵ割り当てチャネル上で動作するＷＴＲＵは、ＲＡ−ＲＮＴＩをモニタリングし得る。図１１に示されるように、１１１２において、ＷＴＲＵは、例えば、特別なプリアンブルシーケンスでＲＡＣＨ応答メッセージを受信したときに、ＰＵ割り当てチャネルを明け渡し得る。１１１８において、ＷＴＲＵ１１０２に加えて、他のＷＴＲＵ１１１６が、明け渡し情報を受信し得る。１１２０において、ＷＴＲＵ１１０２に加えて、他のＷＴＲＵ１１１６が、ＰＵ割り当てチャネルを明け渡し得る。１１１４において、基地局１１０４は、ＰＵ割り当てチャネルから立ち退き得る。例えば、基地局１１０４は、接続されたＷＴＲＵの各々が明け渡させられた後、ＰＵ割り当てチャネルから立ち退き得る。
【０１２４】
ＷＴＲＵチャネル明け渡しが提供され得る。ＷＴＲＵチャネル明け渡しは、明け渡しイベントによって、例えば、１もしくは複数のＷＴＲＵからのＰＵ検出レポートの受信、またはネットワークからの明け渡しコマンドの受信によってトリガされ得る。例えば、チャネル立ち退き時間要件に従うように、待ち時間が短いＰＵ検出レポーティングが、ＰＵ検出イベントをｅＮＢに報告するために使用され得る。ｅＮＢは、例えば、明け渡しイベントに応答して、チャネルの明け渡しのために使用する方法を選択し得る。例えば、ｅＮＢは、ハンドオーバ（ＨＯ）および／または接続解放接続再確立方法を選択し得る。
【０１２５】
例えば、複数のＷＴＲＵがチャネルから立ち退かされる必要がある場合、１または複数の明け渡し方法が、ＷＴＲＵの各々に対して使用され得る。各ＷＴＲＵまたはＷＴＲＵのセットのための明け渡し方法の選択は、いくつかの要因によって条件付けられ得る。要因のリストは、明け渡しをトリガするイベント、例えば、ＷＴＲＵにおけるＰＵ検出、ネットワークからの明け渡し要求、局所化された明け渡しが必要とされ得るか、それともセル全体の明け渡しが必要とされ得るか、明け渡させられるＷＴＲＵの数、ＷＴＲＵに契約上与えられるもしくは能動的に提供されるサービスのプライオリティ／ＱｏＳ、および／または隣接セルのトラフィック負荷などを含み得る。
【０１２６】
ハンドオーバ（ＨＯ）方法を使用するＷＴＲＵチャネル明け渡しが提供され得る。１または複数のＷＴＲＵが、ソースセルと同じエリア内においてカバレージを提供するターゲットセルへのＨＯを実行することによって、チャネルから立ち退かされ得る。ターゲットセルは、異なる周波数上で動作し得る。基地局は、ターゲットセルを選択する場合、報告されたＷＴＲＵ測定、ＮＲＴ内のエントリなどを使用し得る。例えば、ＰＵ検出レポート内に含まれるＰＣＩが、ターゲットセルとして使用され得る。
【０１２７】
図１２は、ＷＴＲＵチャネル明け渡しの例を示している。１２１０において、ＷＴＲＵ１２０２は、ＰＵ検出レポートを、ソースセル／基地局１２０４に送信し得る。ソースセル／基地局は、セカンダリユーザ基地局とし得る。ＰＵ検出レポートは、明け渡し手順の実行をトリガし得る。手順は、他のイベント、例えば、ネットワークから受信される明け渡しコマンドに応答して、トリガされ得る。１２１２において、ソース基地局１２０４は、本明細書で説明されるように、明け渡し決定を下し得る。ソース基地局１２０４は、ターゲットセルまたは基地局１２０６を選択し得る。１２１４において、ソース基地局１２０４は、ハンドオーバ要求を、選択されたターゲットセルまたは基地局１２０６に送信し得る。１２１６において、ソース基地局１２０４は、ハンドオーバ要求肯定応答を、ターゲットセル１２０６から受信し得る。１２１８において、ソース基地局１２０４は、再構成メッセージ（例えば、ＲＲＣ接続再構成メッセージ）をＷＴＲＵ１２０２に送信し得る。再構成メッセージは、選択されたターゲットセルＩＤを含み得る。ソース基地局は、セカンダリユーザＷＴＲＵの１または複数への再構成メッセージを時間的にずらし得る。１２２０において、ソース基地局１２０４は、ＳＮステータス転送メッセージをターゲットセルまたは基地局１２０６に送信し得る。１２２２において、ソース基地局１２０４は、データをターゲットセルまたは基地局１２０６に転送し得る。１２２４において、ＷＴＲＵ１２０２は、ＲＡＣＨメッセージをターゲットセルまたは基地局１２０６に送信し得る。１２２４において、ＷＴＲＵ１２０２からターゲットセルまたは基地局１２０６へのＲＡＣＨメッセージは、遅延させられ得る。ＲＡＣＨメッセージ遅延は、構成可能な遅延とし得る。ＷＴＲＵは、ＲＡＣＨメッセージがターゲットセルまたは基地局に送信され得る瞬間を時間的にずらすために、異なる遅延値に関連付けられ得る。１２２６において、ＷＴＲＵは、ＲＡＣＨ応答メッセージをターゲットセル１２０６から受信し得る。１２２８において、ＷＴＲＵは、再構成完了メッセージ（例えば、ＲＲＣ接続再構成完了メッセージ）をターゲットｅＮＢ１２０６に送信し得る。１２３０において、ＷＴＲＵ１２０２は、ターゲットセル１２０６とのデータ転送を開始し得る。
【０１２８】
場合によっては、ＨＯコマンドは、ＷＴＲＵによって高い信頼性で受信され得ない。または、セル全体のＰＵ検出イベントの場合、ｅＮＢは、ＴＶＷＳにおける動作の場合、例えば、２ｓなどの時間期間内に、ＷＴＲＵの各々をハンドオーバでき得ない。チャネル明け渡しは、例えば、接続再確立手順を介して行われ得る。
【０１２９】
図１３は、ＷＴＲＵが、ＨＯ失敗に続いて、ＲＲＣ接続再確立手順を介して、チャネルを明け渡し得る、ＷＴＲＵチャネル明け渡し手順の例を示している。例えば、チャネル明け渡しは、ＷＴＲＵにおける貧弱な信号品質が原因で生じ得る。ライセンシ基地局は、例えば、多数のＷＴＲＵをライセンスされたチャネルから立ち退かせる場合、ハンドオーバ（ＨＯ）コマンドを、１または複数のＷＴＲＵに送信しないことを選択し得る。図１３に示されるように、１３２６において、受信されたＰＵ検出レポート１３１０に基づいて、ソースセルまたは基地局１３０４は、ＨＯ要求を、ターゲットセルまたは基地局１３０６に送信し得る。１３２８において、ターゲットセルまたは基地局１３０６は、ＨＯ要求の受信を確認し得る。１３３０において、シーケンス番号（ＳＮ）ステータス転送メッセージが、ソースセルまたは基地局１３０４からターゲットセルまたは基地局１３０６に送信され得る。ＳＮステータス転送メッセージは、Ｘ２インターフェース上で送信され得る。１３１８において、再構成メッセージが、ＷＴＲＵ１３０２によってソースｅＮＢ１３０４から受信され得ない。１３３２において、ソースセルまたは基地局１３０４は、ターゲットセルまたは基地局１３０６へのデータの転送を開始し得る。ＷＴＲＵ１３０２は、Ｔ３ｘｘ満了タイマ１３２４などのタイマを開始し得る。タイマ名のｘｘフィールドは、タイマ名が一意になり得るように選択され得る。タイマ１３２４は、ＷＴＲＵチャネル明け渡し手順の実行を制御するために使用され得る。例えば、タイマは、ＰＵの検出時に（例えば、１３１０において）設定され得、ＨＯまたは解放コマンドの受信時に停止され得る。タイマ値が長いほど、ＷＴＲＵは、ＨＯまたは解放コマンドの受信をより長く待ち得る。Ｔ３ｘｘ満了タイマ１３２４の満了時に、ＷＴＲＵ１３０２は、本明細書で説明されるような、ＲＲＣ接続再確立手順を開始し得る。ＷＴＲＵ１３０２は、Ｔ３ｘｘ満了タイマ１３２４の満了時に、ＲＲＣ接続再確立手順をターゲットセル１３０６とともに開始し得る。１３３４において、ＷＴＲＵ１３０２は、ＲＲＣ接続再確立要求をターゲットセルまたは基地局１３０６に送信し得る。１３３６において、ターゲットセルまたは基地局１３０６は、ＲＲＣ接続再確立応答メッセージをＷＴＲＵ１３０２に送信し得る。１３３８において、ＷＴＲＵ１３０２は、ＲＲＣ接続再確立完了メッセージをターゲットセルまたは基地局１３０６に送信し得る。１３４０において、ターゲットセルまたは基地局１３０６は、ＲＲＣ再構成メッセージをＷＴＲＵ１３０２に送信し得る。ＷＴＲＵ１３０２は、１３４０において受信されたＲＲＣ再構成に基づいて、リソースを再構成し得る。１３４２において、ＷＴＲＵ１３０２は、ＲＲＣ再構成完了メッセージをターゲットセルまたは基地局１３０６に送信し得る。１３４４において、ＷＴＲＵ１３０２とターゲットセルまたは基地局１３０６の間のデータ転送が開始され得る。
【０１３０】
例えば、再確立の試みのバーストを回避するために、異なるタイマ値が、ＷＴＲＵの再確立の試みを時間的にずらすために使用され得る。ＷＴＲＵまたはＷＴＲＵのセットのために選択されるタイマ値は、ＷＴＲＵがネットワークとのＲＲＣ接続を再確立する順序にプライオリティを付けるために使用され得る。例えば、プライオリティが高いＷＴＲＵは、短いタイマ値を使用し得、プライオリティが低いＷＴＲＵは、長いタイマ値を使用し得る。
【０１３１】
接続解放手順を介するチャネル明け渡しは、ＨＯを介するチャネルの明け渡しが可能であり得ない場合に、例えば、高いトラフィック負荷のせいでターゲットセルがＷＴＲＵの入場を拒否した場合に実行し得る。または、ＷＴＲＵにおけるアクティビティが低い場合、明け渡し中に接続を維持することは、必要とされ得ない。接続解放手順を介するチャネル明け渡しが実行され得る。
【０１３２】
図１４は、ＲＲＣ接続解放手順を介するチャネル明け渡しの例を示している。図１４に示されるように、１４０８において、ソースｅＮＢ１４０４は、ＰＵ検出レポートをＷＴＲＵ１４０２から受信し得る。ＰＵ検出レポートは、明け渡し手順の実行をトリガし得るイベントを含み得る。明け渡し手順は、他のイベント、例えば、ネットワークから受信される明け渡しコマンドに応答して、トリガされ得る。１４１０において、明け渡し決定を下した後、１４１２において、ソースセルまたは基地局１４０４は、解放メッセージ（例えば、ＲＲＣ接続解放メッセージ）を送信し得る。
【０１３３】
ＲＲＣ接続解放メッセージ内の解放理由情報要素（ＩＥ）は、ＲＲＣ接続を解放する理由を示すために使用され得る。図１５は、解放理由ＩＥの例を示している。解放理由ＩＥは、ＲＲＣ接続の解放の理由を示すためのパラメータを含み得る。例えば、解放理由ＩＥは、（例えば、ＷＴＲＵのロードバランシングの場合、ＷＴＲＵによるＰＵ検出の場合など）解放がネットワークによって開始されたものであることを示し得る。解放理由ＩＥは、列挙された値を使用して、解放理由を示し得る。ダウンリンク（ＤＬ）媒体アクセス制御（ＭＡＣ）制御要素（ＣＥ）などの待ち時間がより短いメカニズムが、接続解放をＷＴＲＵに伝達するために使用され得る。
【０１３４】
図１６は、チャネル明け渡し方法の例を示している。１６０２において、セカンダリユーザ（例えば、セカンダリユーザ基地局）は、１または複数のセカンダリユーザ無線送受信ユニット（ＷＴＲＵ）に、共有スペクトルチャネルへのアクセスを提供し得る。１６０４において、セカンダリユーザは、明け渡しメッセージを受信し得る。例えば、明け渡しメッセージは、システム明け渡しメッセージを含み得る。明け渡しメッセージは、セカンダリユーザＷＴＲＵが共有スペクトルチャネルを明け渡すことの必要性を知らせ得る。１６０８において、セカンダリユーザは、明け渡しメッセージに応答して、共有スペクトルチャネルのチャネル明け渡しを調整し得る。
【０１３５】
図１７は、現行者ユーザの存在を検出し、現行者ユーザの存在をセカンダリユーザに報告する例を示している。１７０２において、セカンダリユーザＷＴＲＵは、現行者検出測定構成を受信し得る。１７０４において、セカンダリユーザＷＴＲＵは、現行者検出測定構成に基づいて、現行者ユーザが共有スペクトルチャネル上に存在するかどうかを検出し得る。１７０６において、セカンダリユーザＷＴＲＵは、現行者ユーザの検出時に、検出メッセージを送信し得る。検出メッセージは、現行者ユーザの存在を知らせるイベント通知を含み得る。１７０８において、セカンダリユーザＷＴＲＵは、検出メッセージに応答して、明け渡しメッセージを受信し得る。
【０１３６】
上では特徴および要素が特定の組み合わせで説明されたが、各特徴または要素は、単独で使用され得、または他の特徴および要素との任意の組み合わせで使用され得ることを当業者は理解されよう。加えて、本明細書で説明された方法は、コンピュータまたはプロセッサによって実行される、コンピュータ可読媒体内に包含された、コンピュータプログラム、ソフトウェア、またはファームウェアで実施され得る。コンピュータ可読媒体の例は、（有線または無線接続上で送信される）電子信号、およびコンピュータ可読記憶媒体を含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含むが、それらに限定されない。ソフトウェアと連携するプロセッサは、ＷＴＲＵ、ＷＴＲＵ端末、基地局、ＲＮＣ、または任意のホストコンピュータで使用するための無線周波送受信機を実施するために使用され得る。
【図１Ａ】
2015537475.tif 000003
【図１Ｂ】
2015537475.tif 000004
【図１Ｃ】
2015537475.tif 000005
【図１Ｄ】
2015537475.tif 000006
【図１Ｅ】
2015537475.tif 000007
【図１Ｆ】
2015537475.tif 000008
【図１Ｇ】
2015537475.tif 000009
【図１Ｈ】
2015537475.tif 000010
【図１Ｉ】
2015537475.tif 000011
【図１Ｊ】
2015537475.tif 000012
【図１Ｋ】
2015537475.tif 000013
【図１Ｌ】
2015537475.tif 000014
【図１Ｍ】
2015537475.tif 000015
【図１Ｎ】
2015537475.tif 000016
【図２】
2015537475.tif 000017
【図３】
2015537475.tif 000018
【図４】
2015537475.tif 000019
【図５】
2015537475.tif 000020
【図６】
2015537475.tif 000021
【図７】
2015537475.tif 000022
【図８】
2015537475.tif 000023
【図９】
2015537475.tif 000024
【図１０】
2015537475.tif 000025
【図１１】
2015537475.tif 000026
【図１２】
2015537475.tif 000027
【図１３】
2015537475.tif 000028
【図１４】
2015537475.tif 000029
【図１５】
2015537475.tif 000030
【図１６】
2015537475.tif 000031
【図１７】
2015537475.tif 000032
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
１または複数のセカンダリユーザ無線送受信ユニット（ＷＴＲＵ）に共有スペクトルチャネルへのアクセスを提供するステップと、
前記セカンダリユーザＷＴＲＵが前記共有スペクトルチャネルを明け渡す必要性を示している明け渡しメッセージを受信するステップであって、前記明け渡しメッセージは、前記セカンダリユーザＷＴＲＵによる使用のための代替チャネルを含む、ステップと、
前記明け渡しメッセージに応答して、前記セカンダリユーザＷＴＲＵと、前記共有スペクトルチャネルのチャネル明け渡しを調整するステップと
を含むことを特徴とするチャネル明け渡し方法。
【請求項２】
明け渡し完了メッセージをインカムベントユーザへ送信するステップであって、前記明け渡し完了メッセージは、前記共有スペクトルチャネルの明け渡し完了を示す、ステップをさらに含むことを特徴とする請求項１に記載の方法。
【請求項３】
前記明け渡しメッセージは、インカムベントユーザから受信されるシステム明け渡しメッセージを含むことを特徴とする請求項１に記載の方法。
【請求項４】
前記システム明け渡しメッセージは、Ｘ２インターフェースを介して受信されるＸ２メッセージを含むことを特徴とする請求項３に記載の方法。
【請求項５】
前記セカンダリユーザＷＴＲＵが前記共有スペクトルから離れる必要性を決定するステップをさらに含むことを特徴とする請求項１に記載の方法。
【請求項６】
前記明け渡しメッセージは、予め決定されたチャネル明け渡し時間に基づいて、管理エンティティから受信されることを特徴とする請求項１に記載の方法。
【請求項７】
前記予め決定されたチャネル明け渡し時間は、インカムベントシステムオペレータとセカンダリユーザオペレータとの間の合意に基づくことを特徴とする請求項６に記載の方法。
【請求項８】
前記予め決定されたチャネル明け渡し時間は、周期的であり、および、前記セカンダリユーザＷＴＲＵによる前記共有スペクトルチャネルの前記使用のために許可された時間に基づくことを特徴とする請求項６に記載の方法。
【請求項９】
前記共有スペクトルチャネルは、ライセンスされた共有アクセス（ＬＳＡ）チャネルであることを特徴とする請求項１に記載の方法。
【請求項１０】
測定イベント構成を前記セカンダリユーザＷＴＲＵへ送信するステップであって、前記測定イベント構成は、インカムベント基地局に関連付けられた公衆移動通信網識別子（ＰＬＭＮ  ＩＤ）、または、前記ＰＬＭＮ  ＩＤに基づいて前記共有スペクトルチャネル上でＰＬＭＮ検索を実行するように求める要求のうちの少なくとも１つを含む、ステップ
をさらに含み、
前記明け渡しメッセージは、前記測定イベント構成に応答して受信され、および、前記共有スペクトルチャネル上における前記インカムベント基地局の存在を示しているイベント通知を含む
ことを特徴とする請求項１に記載の方法。
【請求項１１】
前記明け渡しメッセージは、データベースまたは仲介者から受信され、前記方法は、
データベースまたは仲介者を用いて共有スペクトルチャネルステータスをチェックして、前記共有スペクトルチャネルを明け渡す前記必要性を決定するステップであって、前記明け渡しメッセージは、前記共有スペクトルチャネルステータスチェックに応答して受信される、ステップ
をさらに含むことを特徴とする請求項１に記載の方法。
【請求項１２】
前記セカンダリユーザＷＴＲＵのチャネル明け渡しを調整する前記ステップは、
イベント通知、セカンダリユーザＷＴＲＵ測定レポート、または、隣接者関係テーブル（ＮＲＴ）エントリのうちの少なくとも１つに基づいて、ターゲットセルを選択するステップと、
ハンドオーバ要求を前記ターゲットセルへ送信するステップと
をさらに含むことを特徴とする請求項１に記載の方法。
【請求項１３】
チャネル明け渡しを生じさせるように構成されたセカンダリユーザ基地局であって、
１または複数のセカンダリユーザ無線送受信ユニット（ＷＴＲＵ）に共有スペクトルチャネルへのアクセスを提供し、
前記セカンダリユーザＷＴＲＵが前記共有スペクトルチャネルを明け渡す必要性を示している明け渡しメッセージを受信し、前記明け渡しメッセージは、前記セカンダリユーザＷＴＲＵによる使用のための代替チャネルを含み、
前記明け渡しメッセージに応答して、前記セカンダリユーザＷＴＲＵと、前記共有スペクトルチャネルのチャネル明け渡しを調整する
ように構成されたプロセッサを備えたことを特徴とするセカンダリユーザ基地局。
【請求項１４】
前記プロセッサは、明け渡し完了メッセージをインカムベントユーザへ送信するようにさらに構成され、前記明け渡し完了メッセージは、前記共有スペクトルチャネルの明け渡し完了を示すことを特徴とする請求項１３に記載のセカンダリユーザ基地局。
【請求項１５】
前記明け渡しメッセージは、予め決定されたチャネル明け渡し時間に基づいて、管理エンティティから受信され、前記予め決定されたチャネル明け渡し時間は、インカムベントシステムオペレータとセカンダリユーザオペレータとの間の合意に基づくことを特徴とする請求項１３に記載のセカンダリユーザ基地局。
【請求項１６】
前記明け渡しメッセージは、予め決定されたチャネル明け渡し時間に基づいて受信され、前記予め決定されたチャネル明け渡し時間は、周期的であり、および、前記セカンダリユーザＷＴＲＵによる前記共有スペクトルチャネルの前記使用のために許可された時間に基づくことを特徴とする請求項１３に記載のセカンダリユーザ基地局。
【請求項１７】
前記プロセッサは、
測定イベント構成を前記セカンダリユーザＷＴＲＵへ送信し、前記測定イベント構成は、インカムベント基地局に関連付けられた公衆移動通信網識別子（ＰＬＭＮ  ＩＤ）、または、前記ＰＬＭＮ  ＩＤに基づいて前記共有スペクトルチャネル上でＰＬＭＮ検索を実行するように求める要求のうちの少なくとも一方を含む
ようにさらに構成され、
前記明け渡しメッセージは、前記測定イベント構成に応答して受信され、および、前記共有スペクトルチャネル上における前記インカムベント基地局の存在を示しているイベント通知を含む
ことを特徴とする請求項１３に記載のセカンダリユーザ基地局。
【請求項１８】
前記プロセッサは、データベースまたは仲介者を用いて共有スペクトルチャネルステータスをチェックして、前記共有スペクトルチャネルを明け渡す前記必要性を決定するようにさらに構成され、前記明け渡しメッセージは、前記共有スペクトルチャネルステータスチェックに応答して受信されることを特徴とする請求項１３に記載のセカンダリユーザ基地局。
【請求項１９】
前記セカンダリユーザＷＴＲＵのチャネル明け渡しを調整するために、前記プロセッサは、
イベント通知、セカンダリユーザＷＴＲＵ測定レポート、または、隣接者関係テーブル（ＮＲＴ）エントリのうちの少なくとも１つに基づいて、ターゲットセルを選択し、
ハンドオーバ要求を前記ターゲットセルへ送信する
ようにさらに構成されることを特徴とする請求項１３に記載のセカンダリユーザ基地局。
【請求項２０】
前記明け渡しメッセージは、前記セカンダリユーザ基地局が前記共有スペクトルチャネルを明け渡す必要性をさらに示すことを特徴とする請求項１３に記載のセカンダリユーザ基地局。
【国際調査報告】
2015537475.tif 000033
2015537475.tif 000034
2015537475.tif 000035
2015537475.tif 000036
2015537475.tif 000037